(57)【要約】      （修正有）【課題】コンテンツ利用の参加登録および認証に便利な情報処理方法とシステムとサーバコンピュータを提供する。【解決手段】端末装置ＴＭのＩＣチップ読取装置ＣＰＲＤが、利用者が「かざし」た任意の物品ＡＲＣ１に添設された非接触型ＩＣチップＮＣＣＰを検知すると記録データｄｒｅｃを読出し、サーバ装置ＣＳＶのデータ処理手段ｍｓｐｒが複数の必須項目コードが規定されている項目表Ｔｂｉと属性表Ｔｂａを参照して該当する非更新データを記録データｄｒｅｃから抽出し、空データ検査に基づきユニーク性のある認証データを設定し、認証原簿データとしてデータベースに登録することで、任意の非接触型ＩＣチップＮＣＣＰを登録証ＲＧＴ１に仕立てることが可能になる。【選択図】図１
2006171842.tif 000002
【特許請求の範囲】
【請求項１】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムに適用される情報処理方法であって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち以前に記録され且つ記録後の内容を非更新に設定されている２個またはそれ以上の個数の必須項目をコンテンツ毎に且つチップの種類毎に予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信する過程と、
前記データ処理手段が、前記端末装置から受信した少なくとも前記コンテンツ指示と前記モードと前記記録データを、前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行する過程と、
前記データ処理手段が、前記必須項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する過程と、
を具備することを特徴とする情報処理方法。
【請求項２】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムに適用される情報処理方法であって、
前記端末装置は少なくとも、
外部からの入力があると入力データを発生させる入力機器と、
非接触型ＩＣチップの具備するメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信する過程と、
前記データ処理手段が、前記端末装置から受信した少なくとも前記コンテンツ指示と前記モードと前記記録データを、前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行する過程と、
前記データ処理手段が、前記必須項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する過程と、
を具備することを特徴とする情報処理方法。
【請求項３】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムに適用される情報処理方法であって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち以前に記録され且つ記録後の内容が非更新に設定されている２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と前記ＩＣチップ読取装置が非接触型ＩＣチップから読出した記録データを前記通信ネットワーク経由で前記サーバ装置へ送信する過程と、
前記データ処理手段が、前記端末装置から受信した少なくとも前記コンテンツ指示と前記記録データを前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行する過程と、
前記データ処理手段が、前記必須項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する処理を実行する認証データ編成過程と、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する過程と、
を具備することを特徴とする情報処理方法。
【請求項４】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムに適用される情報処理方法であって、
前記端末装置は少なくとも、
外部からの入力があると入力データを発生させる入力機器と、
非接触型ＩＣチップのメモリに記録されている、記録内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信する過程と、
前記データ処理手段が、前記端末装置から受信した少なくとも前記コンテンツ指示と前記記録データを前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行する過程と、
前記データ処理手段が、前記必須項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する処理を実行する認証データ編成過程と、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する過程と、
を具備することを特徴とする情報処理方法。
【請求項５】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムに適用される情報処理方法であって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信する過程と、
前記データ処理手段が、前記端末装置から受信した少なくとも前記コンテンツ指示と前記モードと前記記録データを、前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行する過程と、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する過程と、
を具備することを特徴とする情報処理方法。
【請求項６】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムに適用される情報処理方法であって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信する過程と、
前記データ処理手段が、前記端末装置から受信した少なくとも前記コンテンツ指示と前記モードと前記記録データを、前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行する過程と、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する過程と、
を具備することを特徴とする情報処理方法。
【請求項７】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムに適用される情報処理方法であって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と前記ＩＣチップ読取装置が非接触型ＩＣチップから読出した記録データを前記通信ネットワーク経由で前記サーバ装置へ送信する過程と、
前記データ処理手段が、前記端末装置から受信した少なくとも前記コンテンツ指示と前記記録データを前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行する過程と、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する過程と、
を具備することを特徴とする情報処理方法。
【請求項８】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムに適用される情報処理方法であって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信する過程と、
前記データ処理手段が、前記端末装置から受信した少なくとも前記コンテンツの指示と前記記録データを前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行する過程と、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する過程と、
を具備することを特徴とする情報処理方法。
【請求項９】
前記認証データ編成過程は、前記データ処理手段が前記検査結果に基づき、
前記抽出非更新データが空データであれば削除して、空データでない前記抽出非更新データを所定の手順に基づき順に連結して連結体とし、前記連結体に基づき前記認証データを編成する処理を実行することを特徴とする請求項１乃至８の何れかに記載の情報処理方法。
【請求項１０】
前記認証データ編成過程は、前記データ処理手段が前記検査結果に基づき、
空データでない前記抽出非更新データのみを連結して連結体とし、且つ、
空データである全ての前記項目を記した空データリストを編成し、且つ、
前記連結体および前記空データリストに基づき前記認証データを編成する処理を実行することを特徴とする請求項１乃至８の何れかに記載の情報処理方法。
【請求項１１】
前記認証データ編成過程は、前記データ処理手段が前記検査結果に基づき、
空データでない前記項目と、該当する抽出非更新データとの対の全てを記した有意データリストを編成し、且つ、
空データである前記項目の全てを記した空データリストを編成し、且つ、
前記有意データリストおよび前記空データリストに基づき前記認証データを編成する処理を実行することを特徴とする請求項１乃至８の何れかに記載の情報処理方法。
【請求項１２】
前記認証データ編成過程は、前記データ処理手段が前記検査結果に基づき、空データでない前記項目と、該当する抽出非更新データとの対の全てを記した有意データリストを編成し、前記有意データリストに基づき前記認証データを編成する処理を実行することを特徴とする請求項１乃至８の何れかに記載の情報処理方法。
【請求項１３】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムであって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち以前に記録され且つ記録後の内容を非更新に設定されている２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信し、
前記データ処理手段が、前記端末装置から受信した少なくとも前記コンテンツ指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行することを特徴とする情報処理システム。
【請求項１４】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムであって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信し、
前記データ処理手段が、前記端末装置から受信した少なくとも前記コンテンツ指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行することを特徴とする情報処理システム。
【請求項１５】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムであって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち以前に記録され且つ記録後の内容が非更新に設定されている２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と前記ＩＣチップ読取装置が非接触型ＩＣチップから読出した記録データを前記通信ネットワーク経由で前記サーバ装置へ送信し、
前記データ処理手段が、前記端末装置から受信した少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする情報処理システム。
【請求項１６】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムであって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信し、
前記データ処理手段が、前記端末装置から受信した少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする情報処理システム。
【請求項１７】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムであって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記コンテンツ利用に係る参加登録の指示または照合の指示を載せた指示入力と、前記ＩＣチップ読取装置が非接触型ＩＣチップから読出した記録データを、前記通信ネットワーク経由で前記サーバ装置へ送信し、
前記データ処理手段が、前記端末装置から受信した少なくとも前記コンテンツ指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とする情報処理システム。
【請求項１８】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムであって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記コンテンツ利用に係る参加登録の指示または照合の指示を載せた指示入力と、前記ＩＣチップ読取装置が非接触型ＩＣチップから読出した記録データを、前記通信ネットワーク経由で前記サーバ装置へ送信し、
前記データ処理手段が、前記端末装置から受信した少なくとも前記コンテンツ指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とする情報処理システム。
【請求項１９】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムであって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信し、
前記データ処理手段が、前記端末装置から受信した少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする情報処理システム。
【請求項２０】
通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムであって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信し、
前記データ処理手段が、前記端末装置から受信した少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする情報処理システム。
【請求項２１】
前記認証データ編成処理は、前記データ処理手段が前記検査結果に基づき、
前記抽出非更新データが空データであれば削除して、空データでない前記抽出非更新データを所定の手順に基づき順に連結して連結体とし、前記連結体に基づき前記認証データを編成する処理を実行することを特徴とする請求項１３乃至２０の何れかに記載の情報処理システム。
【請求項２２】
前記認証データ編成処理は、前記データ処理手段が前記検査結果に基づき、
空データでない前記抽出非更新データのみを連結して連結体とし、且つ、
空データである全ての前記項目を記した空データリストを編成し、且つ、
前記連結体および前記空データリストに基づき前記認証データを編成する処理を実行することを特徴とする請求項１３乃至２０の何れかに記載の情報処理システム。
【請求項２３】
前記認証データ編成処理は、前記データ処理手段が前記検査結果に基づき、
空データでない前記項目と、該当する抽出非更新データとの対の全てを記した有意データリストを編成し、且つ、
空データである前記項目の全てを記した空データリストを編成し、且つ、
前記有意データリストおよび前記空データリストに基づき前記認証データを編成する処理を実行することを特徴とする請求項１３乃至２０の何れかに記載の情報処理システム。
【請求項２４】
前記認証データ編成処理は、前記データ処理手段が前記検査結果に基づき、空データでない前記項目と、該当する抽出非更新データとの対の全てを記した有意データリストを編成し、前記有意データリストに基づき前記認証データを編成する処理を実行することを特徴とする請求項１３乃至２０の何れかに記載の情報処理システム。
【請求項２５】
非接触型ＩＣチップに記録された複数の項目から成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データの少なくとも前記各項目およびメモリ割付を予め規定したチップ属性情報を記憶するチップ属性情報記憶手段と、
前記項目のうち以前に記録され且つ記録後の内容を非更新に設定されている２個またはそれ以上の個数の非更新データに該当の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から、少なくとも前記コンテンツの指示と前記登録モードまたは照合モードの指示と、非接触型ＩＣチップから読出された前記記録データが、前記通信ネットワーク経由で届くと、
前記データ処理手段が、少なくとも前記コンテンツの指示と前記モードと前記記録データを、前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに載った２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とするサーバ装置。
【請求項２６】
非接触型ＩＣチップに記録され内容が非更新である非更新データから成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から、少なくとも前記コンテンツの指示と前記登録モードまたは照合モードの指示と、非接触型ＩＣチップから読出された前記記録データが前記通信ネットワーク経由で届くと、
前記データ処理手段が、少なくとも前記コンテンツの指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに載った２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とするサーバ装置。
【請求項２７】
非接触型ＩＣチップに記録された複数の項目から成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データの登録処理、または／および、入力されたデータを登録された前記認証原簿データと照合する認証処理を実行する、
サーバ装置であって、
コンピュータプログラムとして具現され且つソフトウエアとハードウエアの協同として動作するデータ処理手段と、
前記記録データの少なくとも前記各項目およびメモリ割付を予め規定したチップ属性情報を記憶するチップ属性情報記憶手段と、
前記項目のうち以前に記録され且つ記録後の内容を非更新に設定されている２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から少なくとも前記コンテンツの指示と前記記録データが前記通信ネットワーク経由で届くと、前記データ処理手段が少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに載った２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とするサーバ装置。
【請求項２８】
非接触型ＩＣチップに記録され内容が非更新である非更新データから成る記録データの読取り機能および通信機能を備えたコンピュータである端末装置へ通信ネットワーク経由で接続され、
少なくとも、
通信ネットワーク経由で前記端末装置へ、利用者の参加登録が必要なコンテンツを供給する処理を実行し、且つ、
前記コンテンツの利用者認証のための認証原簿データの登録処理、または／および、入力されたデータを登録された前記認証原簿データと照合する認証処理を実行する、
サーバ装置であって、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から少なくとも前記コンテンツの指示とＩＣチップ読取装置により非接触型ＩＣチップから読出された予め定められた複数の項目から成る記録データが前記通信ネットワーク経由で届くと、前記データ処理手段が少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに載った２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とするサーバ装置。
【請求項２９】
非接触型ＩＣチップに記録された複数の項目から成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データの少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から、少なくとも前記コンテンツの指示と前記登録モードまたは照合モードの指示と前記記録データが前記通信ネットワーク経由で届くと、前記データ処理手段が、少なくとも前記コンテンツの指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とするサーバ装置。
【請求項３０】
非接触型ＩＣチップに記録され内容が非更新である非更新データから成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうち使用禁止の禁止項目をコンテンツ毎に且つチップの種類ごとに規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から、少なくとも前記コンテンツの指示と前記登録モードまたは照合モードの指示と、非接触型ＩＣチップから読出された前記記録データが前記通信ネットワーク経由で届くと、
前記データ処理手段が、少なくとも前記コンテンツの指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツごとの特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とするサーバ装置。
【請求項３１】
非接触型ＩＣチップに記録された複数の項目から成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データの登録処理、または／および、入力されたデータを登録された前記認証原簿データと照合する認証処理を実行する、
サーバ装置であって、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
少なくとも前記コンテンツの指示と非接触型ＩＣチップから読出された予め定められた複数の項目から成る記録データが前記通信ネットワーク経由で前記端末装置から届くと、前記データ処理手段が少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とするサーバ装置。
【請求項３２】
非接触型ＩＣチップに記録され内容が非更新である非更新データから成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
少なくとも前記コンテンツの指示と非接触型ＩＣチップから読出された記録データが前記通信ネットワーク経由で前記端末装置から届くと、前記データ処理手段が少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とするサーバ装置。
【請求項３３】
前記認証データ編成処理は、前記データ処理手段が前記検査結果に基づき、
前記抽出非更新データが空データであれば削除して、空データでない前記抽出非更新データを所定の手順に基づき順に連結して連結体とし、前記連結体に基づき前記認証データを編成する処理を実行することを特徴とする請求項２５乃至３２の何れかに記載のサーバ装置。
【請求項３４】
前記認証データ編成処理は、前記データ処理手段が前記検査結果に基づき、
空データでない前記抽出非更新データのみを連結して連結体とし、且つ、
空データである全ての前記項目を記した空データリストを編成し、且つ、
前記連結体および前記空データリストに基づき前記認証データを編成する処理を実行することを特徴とする請求項２５乃至３２の何れかに記載のサーバ装置。
【請求項３５】
前記認証データ編成処理は、前記データ処理手段が前記検査結果に基づき、
空データでない前記項目と、該当する抽出非更新データとの対の全てを記した有意データリストを編成し、且つ、
空データである前記項目の全てを記した空データリストを編成し、且つ、
前記有意データリストおよび前記空データリストに基づき前記認証データを編成する処理を実行することを特徴とする請求項２５乃至３２の何れかに記載のサーバ装置。
【請求項３６】
前記認証データ編成処理は、前記データ処理手段が前記検査結果に基づき、空データでない前記項目と、該当する抽出非更新データとの対の全てを記した有意データリストを編成し、前記有意データリストに基づき前記認証データを編成する処理を実行することを特徴とする請求項２５乃至３２の何れかに記載のサーバ装置。
【発明の詳細な説明】
【技術分野】
【０００１】
本発明は、情報処理方法および情報処理システムに関し、特に通信ネットワークを用いたコンテンツ利用に係る情報処理方法および情報処理システムおよびサーバ装置に関する。
【背景技術】
【０００２】
通信ネットワーク経由によるコンテンツ提供サービスは現在、インターネットを含むネットワーク利用技術の広範な展開を背景に急速に普及しつつあり、今後さらに多種多様の内容のコンテンツの授受、すなわち提供と受理による利用が拡大することが予想される。この場合、データ授受が基調技術である以上、何れもがネットワーク通信機能を備えた、コンピュータとしてのサーバ装置と、各々がコンピュータである複数の端末装置とを具備する情報処理システムが上記コンテンツの授受を実行する担い手となる。すなわちサーバ装置と端末装置と、当該両者を接続する通信ネットワークとによって構成される、コンピュータ・システムである情報処理システムが、上記コンテンツ提供サービスの処理を実行し、端末装置を介して利用客にサービスを提供する。サーバ装置がコンテンツ提供側として機能し、利用客は端末装置を介してコンテンツの提供を受けることになる。
【０００３】
さらに上記のコンテンツ提供側のサーバ装置、受理側の端末装置を問わず、何れか又は両側の装置が移動体通信装置またはモバイル機器として構成される場合もある。とりわけ端末装置として自動車塔載の車載機（車載サーバと呼称されることもある）を用い、乗車中にコンテンツ利用を実行するモバイル適用のビジネスシーンが今後注目される。さらに商用／業務用車輛すなわちタクシ塔載の車載機によりタクシ乗客にコンテンツ利用をさせるサービスも根強い需要がある。
【０００４】
上記のようなネット経由によるコンテンツ提供サービスを運営するコンテンツ提供サイトが存在し、該サイトがコンテンツ・データの整備やデータベース管理や読出し送出処理と、コンテンツ利用者データの管理処理を司る。該情報処理システムのサーバ装置が該コンテンツ提供サイトとして動作する構成が一般的である。
【０００５】
上記コンテンツ提供サイトの提供するコンテンツのうちで、「参加登録型コンテンツ」と称せられるものがある。これは該コンテンツの利用を欲する利用者に先ずコンテンツ提供サイトに参加登録させるようにし、該参加登録時に登録の証となる認証データ（符号や記号や番号）を設定してこれを認証原簿データとしてコンテンツ提供サイトのデータベース等に格納保管しておき、参加登録後の例えば後日に利用者がコンテンツ利用や登録内容の確認や変更やキャンセルを目的として該コンテンツ提供サイトにアクセスする時に、該利用者に認証データを提示させ、これを先に格納保管した認証原簿データと照合し、合致すれば該利用者が当事者すなわち本人であると認証するものである。
したがって前記サーバ装置は参加登録型コンテンツにつき前記管理処理として、利用者の要求に基づくコンテンツ利用の参加登録処理、および、参加登録後における登録内容の確認要求や変更要求やキャンセル要求等に係る当事者確認のための照合処理を実行する。
【０００６】
上記の参加登録型コンテンツ利用においてはサイトが複数回アクセスされることになり、参加登録後のアクセスの度に認証データによる本人認証が必要である。そこで参加登録型コンテンツへの参加登録手続き時に利用者が入力した任意のパスワードや暗証を認証データとしてコンテンツ提供サイトへ登録し、利用者がコンテンツ提供サイトをアクセスする時にこのパスワードや暗証を入力すると、コンテンツ提供サイトが本人認証処理を実行する方法が実施された。ところが通常、利用者は最低でも２回のアクセスをするから、各アクセス要求の都度、パスワードや暗証の打ち込み入力が必要となり、再入力操作が煩雑で時間がかかるうえ、パスワードや暗証を忘れ易い、ミス入力が発生しやすい、表示画面で確かめながら再入力するから盗み見されやすく秘匿が困難などの欠点があった。
【０００７】
そのため端末機に着脱自在であるメモリ装置、例えばフラッシュメモリ内蔵のメモリカードなどにパスワードや暗証を記録して、利用者がこれを自分の証となるユーザ認証カードとして管理する方式も提案されたが、薄く小型で携帯に便利である半面、逆に紛失しやすいという欠点があった。またクローンの偽造のおそれや、こうしたユーザ認証カードはその利用目的が明白であることから盗難等犯罪の対象になりやすいという不都合もあった。
【０００８】
また、例えば外出中とりわけタクシ乗車中に車載機を利用して、籤や懸賞などの参加登録型コンテンツへ参加登録したいとき、ユーザ認証カードを携行していなければ参加登録手続きができず、機会を逸することがあった。あるいは自宅等でＰＣを使用中に閲覧中のＷｅｂページへ急遽、参加登録する必要が生じたときに身辺にユーザ認証カードがなく、機会を逸することがあった。
【０００９】
また認証には、他との区別を確実にするためにユニーク性（唯一無二）のある認証データの使用が不可欠であるが、既発行の旧形式のユーザ認証カードで短ビット長構成の認証データでは他と重複のおそれがあり、認証上のユニーク性において問題があった。
【００１０】
さらに認証データが例えば金融センタなどに別途登録されている種々の個人情報とリンクされている場合、これを多用することによって個人情報の流出といった不都合の発生機会が増大するという懸念もあった。
【発明の開示】
【発明が解決しようとする課題】
【００１１】
従来技術によれば、利用者の操作が煩雑で使い勝手に問題があるうえ入力ミスの発生、また認証データの失念といった不都合の発生や認証データの秘匿性をはじめ、盗難等への安全性にも問題があった。さらに認証データのユニーク性、個人情報の流出にも課題が残った。
本発明は従来技術の有する上記各課題を解決し、且つ広い用途に適用が可能な情報処理方法、情報処理システム、サーバ装置を提供することを目的とする。
【課題を解決するための手段】
【００１２】
本発明の手段の説明に先立って、本発明の骨子を説明する。
本発明は、図１に示されるようなサーバコンピュータ（サーバ装置ＣＳＶ）と端末コンピュータ（端末装置ＴＭ）が通信ネットワークＮＷで接続されたコンピュータシステムを用いて利用者が参加登録型のコンテンツを利用する際に、先ずコンテンツ利用の参加登録処理を実行し、且つ該参加登録後のコンテンツデータ利用時において利用者の本人認証処理を実行するのに好適な情報処理方法および情報処理システムＳｙｓｃであり、またサーバ装置ＣＳＶである。
【００１３】
ここでサーバ装置ＣＳＶがサービス提供サイトとして機能し、端末装置ＴＭが利用者とのインタフェースサイトとして機能する。そして上記参加登録処理および認証処理を簡単操作かつ高信頼度で実行し、且つ利用者の本人認証を実行するために、本発明は前記コンテンツとの関係の有無を問わない任意の物品に添設された任意の、且つ既に何らかのデータを記録済みの非接触型ＩＣチップＮＣＣＰを利用するものである。
【００１４】
そして該非接触型ＩＣチップＮＣＣＰに内蔵されたメモリに既記録の、複数項目で構成された記録データｄｒｅｃを端末装置ＴＭのＩＣチップ読取装置ＣＰＲＤ（リーダ）が読取るが、この際、利用者は非接触型ＩＣチップＮＣＣＰ（またはそれを添設した物品）をリーダに「かざす」操作のみで読取りがなされるから、至極簡便である。
【００１５】
上記のようにして簡便操作で読取りがなされた記録データｄｒｅｃのうちで、使用時に書換えなどの更新のない複数個の項目の非更新データを抽出し、これらを利用して認証データを編成する。そして参加登録時に編成して登録した認証データと、後の本人認証時に編成した認証データとを照合することで本人認証を行う。
【００１６】
ここで認証データの編成の際に、抽出する項目は予め規定しておき、また認証データの編成手順も予め規定して、常に同じ項目と編成手順を適用して処理するようにする。且つ抽出されるデータは非更新データであるから、よって処理結果として得られる認証データには再現性がある。したがって其の都度、編成した該認証データを用いた上記認証結果は信憑度が高いものとなる。
【００１７】
さらに本発明は上記の抽出する非更新データが、空データか有意データかを検査し、検査結果に応じて上記編成内容を対応させる。
即ち、処理の簡素化と迅速化を具現すべく、空データを含めない認証データとするか、またはユニーク性（一意性）を改善するべく、空データであること自体を情報として利用する。
【００１８】
このように、一般的に非接触型ＩＣチップＮＣＣＰ（または無線タグＲＦＩＤ）に既記録の記録データｄｒｅｃは本来、前掲したコンテンツとは別の目的で記録されており、本発明で扱うコンテンツ利用と関連を有するものではない。本発明は、元来はコンテンツ利用登録とは無関係の該記録データｄｒｅｃのうちの非更新データを利用することで、該コンテンツ利用に係る一意（ユニーク）な認証データを作成するようにし、よって該記録データｄｒｅｃが記録された非接触型ＩＣチップＮＣＣＰ（または無線タグＲＦＩＤ）を、上記コンテンツ利用のための登録証ＲＧＴ１として利用するものである。これによりユニーク性を有する登録証ＲＧＴ１とすることができる。
しかも非更新データを複数個用い、且つ、空データをも情報として利用することで、より優れたユニーク性を確保するものである。
以上が本発明の骨子である。
【００１９】
次ぎに本発明の、課題を解決するための手段を以下に説明する。
本発明の請求項１に係る情報処理方法は、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムに適用される情報処理方法であって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち以前に記録され且つ記録後の内容を非更新に設定されている２個またはそれ以上の個数の必須項目をコンテンツ毎に且つチップの種類毎に予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信する過程と、
前記データ処理手段が、前記端末装置から受信した少なくとも前記コンテンツ指示と前記モードと前記記録データを、前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行する過程と、
前記データ処理手段が、前記必須項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する過程と、
を具備することを特徴とする。
【００２０】
本発明の請求項２に係る情報処理方法は、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムに適用される情報処理方法であって、
前記端末装置は少なくとも、
外部からの入力があると入力データを発生させる入力機器と、
非接触型ＩＣチップの具備するメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信する過程と、
前記データ処理手段が、前記端末装置から受信した少なくとも前記コンテンツ指示と前記モードと前記記録データを、前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行する過程と、
前記データ処理手段が、前記必須項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する過程と、
を具備することを特徴とする。
【００２１】
本発明の請求項３に係る情報処理方法は、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムに適用される情報処理方法であって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち以前に記録され且つ記録後の内容が非更新に設定されている２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と前記ＩＣチップ読取装置が非接触型ＩＣチップから読出した記録データを前記通信ネットワーク経由で前記サーバ装置へ送信する過程と、
前記データ処理手段が、前記端末装置から受信した少なくとも前記コンテンツ指示と前記記録データを前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行する過程と、
前記データ処理手段が、前記必須項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する処理を実行する認証データ編成過程と、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する過程と、
を具備することを特徴とする。
【００２２】
本発明の請求項４に係る情報処理方法は、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムに適用される情報処理方法であって、
前記端末装置は少なくとも、
外部からの入力があると入力データを発生させる入力機器と、
非接触型ＩＣチップのメモリに記録されている、記録内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信する過程と、
前記データ処理手段が、前記端末装置から受信した少なくとも前記コンテンツ指示と前記記録データを前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行する過程と、
前記データ処理手段が、前記必須項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する処理を実行する認証データ編成過程と、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する過程と、
を具備することを特徴とする。
【００２３】
本発明の請求項５に係る情報処理方法は、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムに適用される情報処理方法であって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信する過程と、
前記データ処理手段が、前記端末装置から受信した少なくとも前記コンテンツ指示と前記モードと前記記録データを、前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行する過程と、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する過程と、
を具備することを特徴とする。
【００２４】
本発明の請求項６に係る情報処理方法は、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムに適用される情報処理方法であって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信する過程と、
前記データ処理手段が、前記端末装置から受信した少なくとも前記コンテンツ指示と前記モードと前記記録データを、前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行する過程と、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する過程と、
を具備することを特徴とする。
【００２５】
本発明の請求項７に係る情報処理方法は、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムに適用される情報処理方法であって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と前記ＩＣチップ読取装置が非接触型ＩＣチップから読出した記録データを前記通信ネットワーク経由で前記サーバ装置へ送信する過程と、
前記データ処理手段が、前記端末装置から受信した少なくとも前記コンテンツ指示と前記記録データを前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行する過程と、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する過程と、
を具備することを特徴とする。
【００２６】
本発明の請求項８に係る情報処理方法は、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムに適用される情報処理方法であって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信する過程と、
前記データ処理手段が、前記端末装置から受信した少なくとも前記コンテンツの指示と前記記録データを前記書込み可能の記憶手段へ記憶する処理を実行する過程と、
前記データ処理手段が、前記書込み可能の記憶手段に記憶された前記記録データの少なくとも一部か、又は前記記録データのデータ構成に基づき、前記非接触型ＩＣチップの種類を特定する処理を実行する過程と、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行する過程と、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行する過程と、
前記データ処理手段が、前記抽出非更新データが空データであるか否かを、予め定めた値または予め定めたＮＵＬＬコードであるか否かに基づき検査する処理を実行する過程と、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する処理を実行する認証データ編成過程と、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する過程と、
を具備することを特徴とする。
【００２７】
本発明の請求項９に係る情報処理方法は、請求項１乃至８の何れかに記載のもので、
前記認証データ編成過程は、前記データ処理手段が前記検査結果に基づき、
前記抽出非更新データが空データであれば削除して、空データでない前記抽出非更新データを所定の手順に基づき順に連結して連結体とし、前記連結体に基づき前記認証データを編成する処理を実行することを特徴とする。
【００２８】
本発明の請求項１０に係る情報処理方法は、請求項１乃至８の何れかに記載のもので、
前記認証データ編成過程は、前記データ処理手段が前記検査結果に基づき、
空データでない前記抽出非更新データのみを連結して連結体とし、且つ、
空データである全ての前記項目を記した空データリストを編成し、且つ、
前記連結体および前記空データリストに基づき前記認証データを編成する処理を実行することを特徴とする。
【００２９】
本発明の請求項１１に係る情報処理方法は、請求項１乃至８の何れかに記載のもので、
前記認証データ編成過程は、前記データ処理手段が前記検査結果に基づき、
空データでない前記項目と、該当する抽出非更新データとの対の全てを記した有意データリストを編成し、且つ、
空データである前記項目の全てを記した空データリストを編成し、且つ、
前記有意データリストおよび前記空データリストに基づき前記認証データを編成する処理を実行することを特徴とする。
【００３０】
本発明の請求項１２に係る情報処理方法は、請求項１乃至８の何れかに記載のもので、
前記認証データ編成過程は、前記データ処理手段が前記検査結果に基づき、空データでない前記項目と、該当する抽出非更新データとの対の全てを記した有意データリストを編成し、前記有意データリストに基づき前記認証データを編成する処理を実行することを特徴とする。
【００３１】
本発明の請求項１３に係る情報処理システムは、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムであって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち以前に記録され且つ記録後の内容を非更新に設定されている２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信し、
前記データ処理手段が、前記端末装置から受信した少なくとも前記コンテンツ指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行することを特徴とする。
【００３２】
本発明の請求項１４に係る情報処理システムは、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムであって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記登録モードまたは照合モードの指示を載せた指示入力と、前記ＩＣチップ読取装置が非接触型ＩＣチップから読出した記録データを、前記通信ネットワーク経由で前記サーバ装置へ送信し、
前記データ処理手段が、前記端末装置から受信した少なくとも前記コンテンツ指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行することを特徴とする。
【００３３】
本発明の請求項１５に係る情報処理システムは、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムであって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち以前に記録され且つ記録後の内容が非更新に設定されている２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と前記ＩＣチップ読取装置が非接触型ＩＣチップから読出した記録データを前記通信ネットワーク経由で前記サーバ装置へ送信し、
前記データ処理手段が、前記端末装置から受信した少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする。
【００３４】
本発明の請求項１６に係る情報処理システムは、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムであって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信し、
前記データ処理手段が、前記端末装置から受信した少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに該当する２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする。
【００３５】
本発明の請求項１７に係る情報処理システムは、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムであって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記コンテンツ利用に係る参加登録の指示または照合の指示を載せた指示入力と、前記ＩＣチップ読取装置が非接触型ＩＣチップから読出した記録データを、前記通信ネットワーク経由で前記サーバ装置へ送信し、
前記データ処理手段が、前記端末装置から受信した少なくとも前記コンテンツ指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とする。
【００３６】
本発明の請求項１８に係る情報処理システムは、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する登録モードの処理、または／および、入力されたデータを登録された前記認証原簿データと照合して利用者認証する照合モードの処理を実行する、
情報処理システムであって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、前記入力機器を介して取込んだ、少なくとも前記コンテンツの指示と前記コンテンツ利用に係る参加登録の指示または照合の指示を載せた指示入力と、前記ＩＣチップ読取装置が非接触型ＩＣチップから読出した記録データを、前記通信ネットワーク経由で前記サーバ装置へ送信し、
前記データ処理手段が、前記端末装置から受信した少なくとも前記コンテンツ指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とする。
【００３７】
本発明の請求項１９に係る情報処理システムは、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムであって、
前記端末装置は少なくとも、
外部からの入力があると入力データを発生させる入力機器と、
非接触型ＩＣチップのメモリに記録されている、予め定められた複数の項目から成る記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信し、
前記データ処理手段が、前記端末装置から受信した少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする。
【００３８】
本発明の請求項２０に係る情報処理システムは、通信機能を備えたコンピュータであるサーバ装置と、該サーバ装置に通信ネットワーク経由で接続された通信機能を備えたコンピュータである端末装置を擁し、
前記サーバ装置が少なくとも、
通信ネットワーク経由で前記端末装置へ、利用者の参加登録が必要なコンテンツを供給する処理を実行し、且つ、
前記コンテンツの利用者の認証で使用する認証原簿データを登録する処理、または／および、入力されたデータを登録された前記認証原簿データと照合して認証処理を実行する、
情報処理システムであって、
前記端末装置は少なくとも、
外部からの入力があると入力データを発生させる入力機器と、
非接触型ＩＣチップのメモリに記録されている、記録後の内容が非更新である記録データを読出すＩＣチップ読取装置と、
コンピュータプログラムとして具現され且つソフトウエアとハードウエアの協同として動作する端末処理手段と、
を具備し、
前記サーバ装置は、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置の前記端末処理手段が、少なくとも前記コンテンツの指示と、前記ＩＣチップ読取装置が非接触型ＩＣチップから読出した記録データを前記通信ネットワーク経由で前記サーバ装置へ送信し、
前記データ処理手段が、前記端末装置から受信した少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする。
【００３９】
本発明の請求項２１に係る情報処理システムは、請求項１３乃至２０の何れかに記載のもので、前記認証データ編成処理は、前記データ処理手段が前記検査結果に基づき、
前記抽出非更新データが空データであれば削除して、空データでない前記抽出非更新データを所定の手順に基づき順に連結して連結体とし、前記連結体に基づき前記認証データを編成する処理を実行することを特徴とする。
【００４０】
本発明の請求項２２に係る情報処理システムは、請求項１３乃至２０の何れかに記載のもので、前記認証データ編成処理は、前記データ処理手段が前記検査結果に基づき、
空データでない前記抽出非更新データのみを連結して連結体とし、且つ、
空データである全ての前記項目を記した空データリストを編成し、且つ、
前記連結体および前記空データリストに基づき前記認証データを編成する処理を実行することを特徴とする。
【００４１】
本発明の請求項２３に係る情報処理システムは、請求項１３乃至２０の何れかに記載のもので、前記認証データ編成処理は、前記データ処理手段が前記検査結果に基づき、
空データでない前記項目と、該当する抽出非更新データとの対の全てを記した有意データリストを編成し、且つ、
空データである前記項目の全てを記した空データリストを編成し、且つ、
前記有意データリストおよび前記空データリストに基づき前記認証データを編成する処理を実行することを特徴とする。
【００４２】
本発明の請求項２４に係る情報処理システムは、請求項１３乃至２０の何れかに記載のもので、前記認証データ編成処理は、前記データ処理手段が前記検査結果に基づき、空データでない前記項目と、該当する抽出非更新データとの対の全てを記した有意データリストを編成し、前記有意データリストに基づき前記認証データを編成する処理を実行することを特徴とする。
【００４３】
本発明の請求項２５に係るサーバ装置は、非接触型ＩＣチップに記録された複数の項目から成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データの少なくとも前記各項目およびメモリ割付を予め規定したチップ属性情報を記憶するチップ属性情報記憶手段と、
前記項目のうち以前に記録され且つ記録後の内容を非更新に設定されている２個またはそれ以上の個数の非更新データに該当の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から、少なくとも前記コンテンツの指示と前記登録モードまたは照合モードの指示と、非接触型ＩＣチップから読出された前記記録データが、前記通信ネットワーク経由で届くと、
前記データ処理手段が、少なくとも前記コンテンツの指示と前記モードと前記記録データを、前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに載った２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とする。
【００４４】
本発明の請求項２６に係るサーバ装置は、非接触型ＩＣチップに記録され内容が非更新である非更新データから成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から、少なくとも前記コンテンツの指示と前記登録モードまたは照合モードの指示と、非接触型ＩＣチップから読出された前記記録データが前記通信ネットワーク経由で届くと、
前記データ処理手段が、少なくとも前記コンテンツの指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに載った２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とするサーバ装置。
【００４５】
本発明の請求項２７に係るサーバ装置は、非接触型ＩＣチップに記録された複数の項目から成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データの登録処理、または／および、入力されたデータを登録された前記認証原簿データと照合する認証処理を実行する、
サーバ装置であって、
コンピュータプログラムとして具現され且つソフトウエアとハードウエアの協同として動作するデータ処理手段と、
前記記録データの少なくとも前記各項目およびメモリ割付を予め規定したチップ属性情報を記憶するチップ属性情報記憶手段と、
前記項目のうち以前に記録され且つ記録後の内容を非更新に設定されている２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から少なくとも前記コンテンツの指示と前記記録データが前記通信ネットワーク経由で届くと、前記データ処理手段が少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに載った２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする。
【００４６】
本発明の請求項２８に係るサーバ装置は、非接触型ＩＣチップに記録され内容が非更新である非更新データから成る記録データの読取り機能および通信機能を備えたコンピュータである端末装置へ通信ネットワーク経由で接続され、
少なくとも、
通信ネットワーク経由で前記端末装置へ、利用者の参加登録が必要なコンテンツを供給する処理を実行し、且つ、
前記コンテンツの利用者認証のための認証原簿データの登録処理、または／および、入力されたデータを登録された前記認証原簿データと照合する認証処理を実行する、
サーバ装置であって、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで２個またはそれ以上の個数の必須項目をコンテンツ毎に且つチップの種類ごとに予め規定した必須項目情報を記憶する必須項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から少なくとも前記コンテンツの指示とＩＣチップ読取装置により非接触型ＩＣチップから読出された予め定められた複数の項目から成る記録データが前記通信ネットワーク経由で届くと、前記データ処理手段が少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記必須項目情報記憶手段に記憶された前記必須項目情報に基づき、前記非接触型ＩＣチップに載った２個またはそれ以上の個数の予め定められた前記必須項目を特定する処理を実行し、
前記データ処理手段が、前記必須項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする。
【００４７】
本発明の請求項２９に係るサーバ装置は、非接触型ＩＣチップに記録された複数の項目から成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データの少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から、少なくとも前記コンテンツの指示と前記登録モードまたは照合モードの指示と前記記録データが前記通信ネットワーク経由で届くと、前記データ処理手段が、少なくとも前記コンテンツの指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とする。
【００４８】
本発明の請求項３０に係るサーバ装置は、非接触型ＩＣチップに記録され内容が非更新である非更新データから成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうち使用禁止の禁止項目をコンテンツ毎に且つチップの種類ごとに規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
前記端末装置から、少なくとも前記コンテンツの指示と前記登録モードまたは照合モードの指示と、非接触型ＩＣチップから読出された前記記録データが前記通信ネットワーク経由で届くと、
前記データ処理手段が、少なくとも前記コンテンツの指示と前記モードと前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツごとの特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、
前記登録モードにおいては前記認証データを前記コンテンツごとの前記認証原簿データとして前記参加登録データ記憶手段へ記憶する処理を実行し、
前記照合モードにおいては前記認証データを前記参加登録データ記憶手段に記憶済みの前記認証原簿データと照合して認証処理を実行する、
ことを特徴とする。
【００４９】
本発明の請求項３１に係るサーバ装置は、非接触型ＩＣチップに記録された複数の項目から成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データの登録処理、または／および、入力されたデータを登録された前記認証原簿データと照合する認証処理を実行する、
サーバ装置であって、
コンピュータプログラムとして具現され且つソフトウエアとハードウエアの協同として動作するデータ処理手段と、
前記非接触型ＩＣチップの具備するメモリに記録される少なくとも前記各項目およびメモリ割付を予め規定したチップ属性情報を記憶するチップ属性情報記憶手段と、
前記項目のうち使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
少なくとも前記コンテンツの指示と非接触型ＩＣチップから読出された予め定められた複数の項目から成る記録データが前記通信ネットワーク経由で前記端末装置から届くと、前記データ処理手段が少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする。
【００５０】
本発明の請求項３２に係るサーバ装置は、非接触型ＩＣチップに記録され内容が非更新である非更新データから成る記録データの読取り機能および通信機能を備えたコンピュータである端末装置へ通信ネットワーク経由で接続され、
少なくとも、
前記通信ネットワーク経由で前記端末装置へ、利用者の参加登録が必要なコンテンツを供給する処理を実行し、且つ、
前記コンテンツの利用者認証のための認証原簿データを登録する登録モードの処理、または／および、入力されたデータを登録された前記認証原簿データと照合して利用者認証する照合モードの処理を実行する、
サーバ装置であって、
コンピュータプログラムとして具現され且つソフトウエアとハードウエアの協同として動作するデータ処理手段と、
前記記録データを分割した各分割項目およびメモリ割付を規定したチップ属性情報を記憶するチップ属性情報記憶手段と、
前記分割項目のうちで使用禁止の禁止項目をコンテンツ毎に且つチップの種類ごとに予め規定した禁止項目情報を記憶する禁止項目情報記憶手段と、
少なくとも前記原簿データが含まれる参加登録データを記憶する参加登録データ記憶手段と、
コンテンツデータを記憶するコンテンツデータ記憶手段と、
暫定記憶処理または／および作業用記憶処理を含む記憶処理に係る少なくとも一基の書込み可能の記憶手段と、
を具備し、
少なくとも前記コンテンツの指示と非接触型ＩＣチップから読出された記録データが前記通信ネットワーク経由で前記端末装置から届くと、前記データ処理手段が少なくとも前記コンテンツの指示と前記記録データを前記書込み可能の記憶手段へ記憶する処理を実行し、
前記データ処理手段が、前記書込み可能の記憶手段に記憶された前記記録データの少なくとも一部か、又は前記記録データのデータ構成に基づき、前記非接触型ＩＣチップの種類を特定する処理を実行し、
前記データ処理手段が、前記コンテンツ指示と特定された前記チップの種類および、前記禁止項目情報記憶手段に記憶された前記禁止項目情報に基づき、前記非接触型ＩＣチップに該当する禁止項目を特定する処理を実行し、
前記データ処理手段が、前記チップ属性情報記憶手段に記憶された分割項目が前記禁止項目に合致の有無を確認し、合致すれば該分割項目を捨て、合致しなければ該分割項目に該当する非更新データを順次、前記書込み可能の記憶手段に記憶された前記記録データから抽出する処理を実行し、
前記データ処理手段が、前記抽出非更新データが空データであるか否かを、予め定めた値または予め定めたＮＵＬＬコードであるか否かに基づき検査する処理を実行し、
前記データ処理手段が前記検査結果に基づき、前記抽出非更新データが空データであれば予め定めた所定の数値に置換し、前記抽出非更新データを所定の手順に基づき順に、２個またはそれ以上の個数を連結して連結体とし、前記連結体に基づき認証データを編成する認証データ編成処理を実行し、
前記データ処理手段が、前記認証データを前記参加登録データ記憶手段に記憶済みの認証原簿データと照合し、合致するものがあれば認証が成立したとし、一方、合致するものがなければ前記認証データを前記コンテンツごとの前記認証原簿データとして前記参加登録データ記憶手段へ記憶する処理を実行する、
ことを特徴とする。
【００５１】
本発明の請求項３３に係るサーバ装置は、請求項２５乃至３２の何れかに記載のもので、前記認証データ編成処理は、前記データ処理手段が前記検査結果に基づき、
前記抽出非更新データが空データであれば削除して、空データでない前記抽出非更新データを所定の手順に基づき順に連結して連結体とし、前記連結体に基づき前記認証データを編成する処理を実行することを特徴とする。
【００５２】
本発明の請求項３４に係るサーバ装置は、請求項２５乃至３２の何れかに記載のもので、前記認証データ編成処理は、前記データ処理手段が前記検査結果に基づき、
空データでない前記抽出非更新データのみを連結して連結体とし、且つ、
空データである全ての前記項目を記した空データリストを編成し、且つ、
前記連結体および前記空データリストに基づき前記認証データを編成する処理を実行することを特徴とする。
【００５３】
本発明の請求項３５に係るサーバ装置は、請求項２５乃至３２の何れかに記載のもので、前記認証データ編成処理は、前記データ処理手段が前記検査結果に基づき、
空データでない前記項目と、該当する抽出非更新データとの対の全てを記した有意データリストを編成し、且つ、
空データである前記項目の全てを記した空データリストを編成し、且つ、
前記有意データリストおよび前記空データリストに基づき前記認証データを編成する処理を実行することを特徴とする。
【００５４】
本発明の請求項３６に係るサーバ装置は、請求項２５乃至３２の何れかに記載のもので、前記認証データ編成処理は、前記データ処理手段が前記検査結果に基づき、空データでない前記項目と、該当する抽出非更新データとの対の全てを記した有意データリストを編成し、前記有意データリストに基づき前記認証データを編成する処理を実行することを特徴とする。
【００５５】
請求項１に記載の情報処理方法、及び請求項１３に記載の情報処理システム、及び請求項２５に記載のサーバ装置によれば、任意のデータが既記録の任意の非接触型ＩＣチップが、無関係のコンテンツ利用に係る認証データに流用されることで、操作が簡便のうえ低コストの登録証が仕立てられる。
且つ、２個またはそれ以上の個数の抽出非更新データが連結されることで、ユニーク性のある認証データが設定される。
さらに、抽出非更新データが空データであっても所定の数値に置換のうえ連結が為されることで、空データという情報自体が識別に有効利用される。
【００５６】
請求項２に記載の情報処理方法、及び請求項１４に記載の情報処理システム、及び請求項２６に記載のサーバ装置によれば、任意のデータが既記録の任意の読出し専用の安価な非接触型ＩＣチップが、無関係のコンテンツ利用に係る認証データに流用されることで、操作が簡便のうえ、とりわけ低コストの登録証が仕立てられる。また記録データを任意に分割設定できることで、記録データの一部分を抽出対象に設定するのが容易であり。さらに同じ非接触型ＩＣチップを用いて異なる用途向けの種々の分割設定が可能になる。
さらに、抽出非更新データが空データであっても所定の数値に置換のうえ連結が為されることで、空データという情報自体が識別に有効利用される。
【００５７】
請求項３に記載の情報処理方法、及び請求項１５に記載の情報処理システム、及び請求項２７に記載のサーバ装置によれば、利用者は入力機器を介してコンテンツ利用に係る参加登録の指示または照合の指示を入力する必要がなく、よって操作が簡便化される。また任意のデータが既記録の任意の非接触型ＩＣチップが、無関係のコンテンツ利用に係る認証データに流用されることで、操作が簡便のうえ低コストの登録証が仕立てられる。
且つ、２個またはそれ以上の個数の抽出非更新データが連結されることで、ユニーク性のある認証データが設定される。
さらに、抽出非更新データが空データであっても所定の数値に置換のうえ連結が為されることで、空データという情報自体が識別に有効利用される。
【００５８】
請求項４に記載の情報処理方法、及び請求項１６に記載の情報処理システム、及び請求項２８に記載のサーバ装置によれば、利用者は入力機器を介してコンテンツ利用に係る参加登録の指示または照合の指示を入力する必要がなく、よって操作が簡便化される。また任意のデータが既記録の任意の読出し専用の安価な非接触型ＩＣチップが、コンテンツ利用に係る認証データに流用されることで、操作が簡便のうえ、とりわけ低コストの登録証が仕立てられる。また記録データを任意に分割設定できることで、記録データの一部分を抽出対象に設定するのが容易であり。さらに同じ非接触型ＩＣチップを用いて異なる用途向けの種々の分割設定が可能になる。
さらに、抽出非更新データが空データであっても所定の数値に置換のうえ連結が為されることで、空データという情報自体が識別に有効利用される。
【００５９】
請求項５に記載の情報処理方法、及び請求項１７に記載の情報処理システム、及び請求項２９に記載のサーバ装置によれば、任意のデータが既記録の任意の非接触型ＩＣチップが、無関係のコンテンツ利用に係る認証データに流用されることで、操作が簡便のうえ低コストの登録証が仕立てられる。
且つ、流用が好ましくない抽出非更新データが禁止項目とされることで該当データの流用が回避され安全であり、さらに２個またはそれ以上の個数の抽出非更新データが連結されることで、ユニーク性のある認証データが設定される。
さらに、抽出非更新データが空データであっても所定の数値に置換のうえ連結が為されることで、空データという情報自体が識別に有効利用される。
【００６０】
請求項６に記載の情報処理方法、及び請求項１８に記載の情報処理システム、及び請求項３０に記載のサーバ装置によれば、任意のデータが既記録の任意の読出し専用の安価な非接触型ＩＣチップが、コンテンツ利用に係る認証データに流用されることで、操作が簡便のうえ、とりわけ低コストの登録証が仕立てられる。また記録データを任意に分割設定できることで、記録データの一部分を抽出対象に設定するのが容易であり。さらに同じ非接触型ＩＣチップを用いて異なる用途向けの種々の分割設定が可能になる。
さらに、抽出非更新データが空データであっても所定の数値に置換のうえ連結が為されることで、空データという情報自体が識別に有効利用される。
【００６１】
請求項７に記載の情報処理方法、及び請求項１９に記載の情報処理システム、及び請求項３１に記載のサーバ装置によれば、利用者は入力機器を介してコンテンツ利用に係る参加登録の指示または照合の指示を入力する必要がなく、よって操作が簡便化される。また任意のデータが既記録の任意の非接触型ＩＣチップが、無関係のコンテンツ利用に係る認証データに流用されることで、操作が簡便のうえ低コストの登録証が仕立てられる。
且つ、流用が好ましくない抽出非更新データが禁止項目情報として示されることで該当データの流用が回避され安全であり、さらに２個またはそれ以上の個数の抽出非更新データが連結されることで、ユニーク性のある認証データが設定される。
さらに、抽出非更新データが空データであっても所定の数値に置換のうえ連結が為されることで、空データという情報自体が識別に利用される。
【００６２】
請求項８に記載の情報処理方法、及び請求項２０に記載の情報処理システム、及び請求項３２に記載のサーバ装置によれば、利用者は入力機器を介してコンテンツ利用に係る参加登録の指示または照合の指示を入力する必要がなく、よって操作が簡便化される。また任意のデータが既記録の任意の読出し専用の安価な非接触型ＩＣチップが、コンテンツ利用に係る認証データに流用されることで、操作が簡便のうえ、とりわけ低コストの登録証が仕立てられる。また記録データを任意に分割設定できることで、記録データの一部分を抽出対象に設定するのが容易であり。さらに同じ非接触型ＩＣチップを用いて異なる用途向けの種々の分割設定が可能になる。
さらに、抽出非更新データが空データであっても所定の数値に置換のうえ連結が為されることで、空データという情報自体が識別に有効利用される。
【００６３】
請求項９に記載の情報処理方法、及び請求項２１に記載の情報処理システム、及び請求項３３に記載のサーバ装置によれば、検査により空データであれば削除されることで処理の簡素化と迅速化が実現される。
【００６４】
請求項１０に記載の情報処理方法、及び請求項２２に記載の情報処理システム、及び請求項３４に記載のサーバ装置によれば、抽出非更新データが有意であると連結されることでユニーク性が確保され、且つ抽出非更新データが空データであっても空データリストに記録が為されることで、空データという情報自体が識別に利用される。
【００６５】
請求項１１に記載の情報処理方法、及び請求項２３に記載の情報処理システム、及び請求項３５に記載のサーバ装置によれば、抽出非更新データが有意であると有意データリストに記録がなされることでユニーク性が確保され、且つ抽出非更新データが空データであっても空データリストに記録が為されることで、空データという情報自体が識別に利用される。
【００６６】
請求項１２に記載の情報処理方法、及び請求項２４に記載の情報処理システム、及び請求項３６に記載のサーバ装置によれば、抽出非更新データが有意であると有意データリストに記録がなされることでユニーク性が確保され、一方、検査により空データである抽出非更新データは削除されることで処理の簡素化と迅速化が実現される。
【発明の効果】
【００６７】
本発明によれば、任意の物品に添設されて何等かの記録データが記録されている非接触型ＩＣチップ（例えば無線タグ）から読出した該記録データ（例えば無線タグのタグ・データ）を前記のように流用して、任意のコンテンツ利用に係る登録証としてコンテンツへ参加登録するから、ユーザカードや身分証を携行するのを忘れた時に、咄嗟に携行している任意の物品に添設された非接触型ＩＣチップ（たとえば無線タグ）を直ちに登録証に仕立てて参加登録でき、且つ、こうして仕立てた新しい登録証を以後の認証に使うことができるから極めて便利である。さらに、新規に登録証を作成する必要がないから低コストで実現できる利点がある。
【００６８】
またＩＣチップ読取装置（例えば無線タグ読取装置）が非接触型ＩＣチップ（例えば無線タグ）に記録されている記録データ（例えば無線タグに記録されているタグ・データ）を読込むから、人力による面倒で煩雑なデータ入力操作を割愛できる。利用者は利用のために当該情報処理システムを何度もアクセスすることになるが、アクセス毎にユーザ認証が必要であり、其の都度、従来のような認証データを入力操作するのは煩雑であったが、本発明によれば利用者は非接触型ＩＣチップ付き物品（例えば無線タグ付き物品）をＩＣチップ読取装置（例えば無線タグ読取装置）に「かざす」だけでよく、これを当該情報処理システムが検知して記録データ（例えばタグ・データ）を読出し処理し、このデータから採取した非更新データに基づき認証データを設定処理し、且つこれら処理を自動的に実行するから、利用者は煩雑なキー打ち込みが必要なくなり操作が非常に便利になっただけでなく、ミスタイプによるデータ入力ミスがなくなる。さらに処理が迅速になり所要時間が著しく短縮されるという利点がある。
【００６９】
また本発明は非接触型ＩＣチップ（たとえば無線タグ）に既記録の任意の記録データ（例えばタグ・データ）を読出して、抽出した非更新データに基づき認証データを設定するが、このとき抽出した非更新データが例えば短ビット長構成でユニーク性（一意性）が不足していても、他の非更新データを複数個抽出して組合せることで更に複雑となるから、複数個の非更新データを組合せた認証データは高いユニーク性を確保できる。したがって過去に製造され発行された、例えばチップＩＤ（非更新データ）が短ビット長でユニーク性に劣る非接触型ＩＣチップであっても、当該チップに焼き込まれている他の非更新データを組合せることで高いユニーク性を確保できるから、レガシーの旧式チップについてもそのまま本発明のコンテンツ利用に係る登録証として利用することができる。
【００７０】
本発明は登録証に仕立てる、物品に添設された非接触型ＩＣチップ（例えば物品に添設された無線タグ）を利用者が任意に設定し、とりわけ、コンテンツ利用とは無関係の任意の非接触型ＩＣチップを選んで登録手続きできるから、他人は何が登録証であるかを知らない。参加登録後の当事者認証時に、存在する多くの物品のうちから登録証に仕立てたものを持参して「かざさ」なければならないが、これは何を登録証にしたかを知る当事者すなわち本人には容易である一方、何が登録証であるかを知らない他人には至難の業である。このようにして有効な不正対策を具現できる。しかもコンテンツ利用毎に異なる登録証、すなわち異なる物品を利用者が任意に設定することにより、さらに不正対策の効果を上げることができる。
【００７１】
本発明によれば、認証データが見破られ難いので安全である。その理由は非更新データが容易に類推できない内容であり、また複数個の非更新データを組合せる構成により更に複雑となるから、不正のための類推がさらに困難となり、従来の暗証番号などで頻繁に発生していた、類推により見破られて不正に使用されるという事故発生を防ぐことができる。非更新データを複数個組合せる結果、認証データが長いビット長となり、登録した利用者本人も認証データを記憶することが困難になるが、本発明では利用者本人が認証データを記憶する必要がなく、登録した非接触型ＩＣチップ付き物品を「かざし」て非更新データを自動的に入力すればよいから、利用者はこの非接触型ＩＣチップ付き物品の使用管理をするのみでよい。このように、利用者は認証データを記憶しておく必要がなく、よって認証データ失念による支障などは発生しない。
【００７２】
さらに認証データが例えば従来のようにカードＩＤで、金融センタなどに別途登録されている種々の個人情報とリンクされていることがあると、これを多用することによって個人情報の流出する機会の増大という懸念が従来あったが、本発明によればこのような、個人情報とリンクされているカードＩＤ等の項目を認証データに抽出しない構成にすることで個人情報などの使用を禁止でき、安全である。しかも非更新データを複数個組合せることでユニーク性を確保できる。
【００７３】
また認証データの編成時において、抽出する項目を予め規定し、また認証データの編成手順も予め規定して、常に同じ項目と編成手順を適用して処理するようにし、且つ抽出するデータとして内容が更新により変化しない非更新データとするから、得られる認証データには再現性があり、再現性に優れる。したがって信憑度が高い認証結果が得られる。
【００７４】
また抽出する非更新データが空データか有意データかを検査し、検査結果に応じて認証データの編成内容を対応させ、処理を簡素化し迅速化するために空データを含めない認証データとするか、またはユニーク性（一意性）を改善するために空データという情報も利用することでユニーク性を確保できる。
【００７５】
しかも認証データはサーバ装置内でのみ取り扱われ、端末装置へ送られることがない。よって端末装置が認証データを表示することがないから、データ入力の過程や処理の過程で端末装置から認証データが漏洩または流出することがなく、よって秘匿性が維持されて高い信頼性を実現できるという利点がある。認証原簿データについても同様である。
これを従来技術と比較すると、正当な登録者が端末装置の画面に表示させた認証データを不正者が盗み見るなどして入手してクローンを作成し、「なりすまし」の不正者によりコンテンツ利用登録の内容が改ざんされ、またコンテンツ利用登録が不正にキャンセルされるといった惧れがあったが、本発明はこうした不正行為の発生を排除できる。
さらに、なりすました不正者が景品を受取ったり、不正に受取った景品をネットオークションで転売したり、不正な別人のアカウントで転売するといった不正の発生を防止できるという利点がある。
【００７６】
しかも上記各処理を通して、非接触型ＩＣチップ（たとえば無線タグ）からは記録されている記録データ（例えばタグ・データ）が読出されるだけであり、該記録データ（該タグ・データ）は上記情報処理を経ても原状のままで、一切変更が施されることがなく、また追記もされない。すなわち該記録データ（該タグ・データ）は処理の影響を受けることが全くない。よって任意の非接触型ＩＣチップ（無線タグ）を安心して登録証に仕立てることができ、しかも非接触型ＩＣチップ（無線タグ）は原状のままであるから原状復帰の処理が不必要である。しかも読出し専用の非接触型ＩＣチップ（無線タグ）を適用できるという利点がある。
【発明を実施するための最良の形態】
【００７７】
実施例の詳細説明に先立ち、コンテンツ提供の一般的な概略を、乗客向けの車載コンテンツ提供を例に説明する。
コンテンツ提供産業にあって、乗客搬送用途の業務用車輛が塔載する端末装置を用い、通信ネットワークを介してコンテンツを提供する構成がある。とりわけ重要なものに、業務用車輛をタクシ車輛とし、端末装置をタクシ車輛に塔載された車載機（車載サーバと称されることもある）とし、通信ネットワークを車載通信網として、当該タクシ車輛の車載機へコンテンツを提供する構成がある。
【００７８】
ここで利用者がタクシ乗車中にサーバ装置から車載機を経由してコンテンツデータの提供サービスを受けて車中で楽しむ場合に、後日に当落結果が出る籤（くじ）や懸賞、クイズ等では利用者が先ず当該コンテンツ利用に係る参加登録を行う必要がある。本発明はこれを参加登録型コンテンツと呼称し、参加登録型コンテンツを対象とする。
【００７９】
該参加登録型コンテンツのサービスには、映像・音響・データなどから成るコンテンツの提供や、何らかの目的の会員登録、データの管理保全サービスをはじめ、籤や懸賞やクイズ、アンケートへの応募、オークションなど物品売買に関係する情報処理のサービス等、種々のサービスが含まれる。
【００８０】
一方、参加登録後に上記登録者から既に参加登録した内容の照会や、参加登録内容の変更・更新や、参加登録のキャンセル要求をはじめ、後日に籤やクイズの当選発表がなされると上記登録者からの当落照会が発生するが、このような参加登録後のアクセスでは本人確認のため、サーバ装置によって認証データに基づく照合処理が実行され、認証がなされる。このように参加登録型コンテンツの利用では上記参加登録処理と照合処理が順次実行される。
【００８１】
以下に説明する各実施例は、前掲の参加登録型コンテンツの提供に好適な情報処理方法および情報処理システムであり、またサーバ装置である。なお以下の各実施例は本発明の本質的な構成と作用を示すための好適な例の一部であり、したがって技術構成上好ましい種々の限定が付されている場合があるが、この発明の範囲は以下の説明において特にこの発明を限定する旨の記載がない限り、これらの例に限られるものではない。
【実施例１】
【００８２】
本発明に係る情報処理システムの第１の実施例を、以下の図面を参照してその構成、動作、利点の順に説明する。
図１は情報処理システムの第１の実施例のブロック構成図である。
図２は非接触型ＩＣチップのメモリ割付例の説明図である。
図３は車載機とサーバ装置を具備する情報処理システムの一例の概念図である。
図４は車載機の一例の外観図である。
図５は本発明に係る情報処理システムの具備するデータベースの一例の説明図である。
図６は参加登録データの一例の説明図である。
図７は端末装置の処理の流れの一例を示すフロー図である。
図８は図７に続く処理の流れを示すフロー図である。
図９は端末装置に呈示される画面例を示す図である。
図１０は端末装置に呈示される画面例を示す図である。
図１１は属性表の一例を示す図である。
図１２は項目表の一例を示す図である。
図１３はサーバ装置の処理の流れの一例を示すフロー図である。
図１４はルーチンＳＲ１のフロー図である。（実施例１）
図１５は認証データの構成例を示す図である。（実施例１）
【００８３】
図１に示されるように、情報処理システムＳｙｓｃは、何れもがコンピュータで構成され且つ通信ネットワークＮＷと接続可能な、サーバ装置ＣＳＶおよび端末装置ＴＭ（たとえば車載機ＦＴＭ）を具備して構成される。情報処理システムＳｙｓｃはコンテンツ提供サービスとしてサーバ装置ＣＳＶがコンテンツデータを端末装置ＴＭへ供給し、端末装置ＴＭを介して利用者へ提供するが、その際に任意の物品ＡＲＣ１に添設された非接触型ＩＣチップＮＣＣＰのメモリに既記録の記録データｄｒｅｃを読込み、該記録データｄｒｅｃを利用することで認証データを編成し、コンテンツの利用に係る参加登録処理または本人認証処理を行う。非接触型ＩＣチップ付き物品ＡＲＣ１は、上記のように参加登録されることで登録証ＲＧＴ１として機能し、参加登録以降の本人認証では該登録証ＲＧＴ１が用いられる。
【００８４】
また非接触型ＩＣチップの一種類である、無線タグＲＦＩＤが添設された任意の物品ＡＲＣ２の該タグに内蔵のメモリに既記録のタグ・データｄｔａｇを読込み、該タグ・データｄｔａｇを利用することで認証データを編成し、コンテンツの利用に係る参加登録処理または本人認証処理を行う。
【００８５】
無線タグＲＦＩＤは非接触型ＩＣチップＮＣＣＰの一種類で、小型無線ＩＣタグの略称であり、電子タグとも称せられ、アンテナ内蔵型とアンテナ外付型がある。無線タグＲＦＩＤはカードの基板または何らかの物品ＡＲＣ２にアンテナともに添設され、近位置にあるＩＣチップ読取装置ＣＰＲＤからの電磁波照射による共振で電力供給を受けるとともに情報伝達ができ、且つデータ保持機能を具備して、この無線タグＲＦＩＤまたは／およびこの無線タグが添設されている物品ＡＲＣ２を特定できるデータを少なくとも含むタグ・データｄｔａｇが記録されているものとする。該無線タグ付き物品ＡＲＣ２は、上記のように参加登録されることで登録証ＲＧＴ２として機能し、参加登録以降の本人認証では該登録証ＲＧＴ２が用いられる。
【００８６】
以下、非接触型ＩＣチップ付き物品ＡＲＣ１を例に説明する。
非接触型ＩＣチップＮＣＣＰ内のメモリは、要求される仕様や用途により構成が異なる。データ書換え無しの小容量の無線タグであればＲＯＭ（読出し専用メモリ）で構成されるか、或いはＥＰＲＯＭ(erasable and programmable ROM)やＥＥＰＲＯＭ(electrically erasable and programmable ROM)で構成されることもある。マスクＲＯＭ構成ではタグ・データがタグ製造時に焼き込まれ、またワンタイム型では一度データを書込むと書換えや追記ができない。
一方、データ書換えが為される用途向けにはＥＰＲＯＭやＥＥＰＲＯＭによって構成されるが、この場合の運用時において例えば或る領域に部分的に書換え禁止（ライト・プロテクト）をかける種々の技術が開示されている。
【００８７】
図２は非接触型ＩＣチップＮＣＣＰのメモリに既記録の記録データｄｒｅｃのメモリ割付の一例である。以下、記録データｄｒｅｃの記録項目（以下、項目と略記することがある）を説明する。
記録データｄｒｅｃを構成する各項目は、
（ａ）該チップのメモリ上の記録領域、
（ｂ）該項目名（項目コード）、
（ｃ）記録されているデータ、
の各要素で構成されるが、チップのメモリ容量の制約上、メモリに記録される項目を予め規定し、且つ予め定めた規定の順序で各項目のメモリ割付がなされている際には項目名（または項目コード）がメモリ上に記録されず、データのみが記録されている場合もある。
【００８８】
一般的に、非接触型ＩＣチップの製造から使用までの段階は順に、製造時である「製造フェーズ」、発行時である「発行フェーズ」、使用時である「使用フェーズ」として分類される。上記各項目は上記夫々のフェーズに応じて内容更新（データの書換え、追加、削除）の可否、読出しの可否が定められている。
ここで、製造フェーズまたは発行フェーズにおいて記録がなされ、既記録内容が記録後に非更新であり、且つ使用フェーズにおいて読出し可能のデータを、本発明では「非更新データ」と略記することにする。非更新データは暗号化されていない平文か、暗号化された暗号文の何れかとなるが、本発明で使用する際には、項目に分かれていれば暗号文のまま使用できる。すなわちビット列とみて使用するのであり、平文の意味や構成を問うものではないから、とくに復号化の要はない。
【００８９】
非接触型ＩＣチップＮＣＣＰの製造フェーズにおいて設定される、製造以降の内容更新（データの書換え、追加、削除）が禁じられ、且つ製造以降の何時でも読出し可能な非更新データには、一例として図２に示される非更新データｄｎｕｐ１＿ｘ（ｘ＝１〜７）がある。各非更新データｄｎｕｐ１＿ｘには項目コードｃｏｄｅ（ｘ）が割り振られ、記録領域ＲＧ１＿ｘに記録されている。
【００９０】
項目コードｃｏｄｅ１は記録領域ＲＧ１＿１に記録された非更新データの第１管理データｄｎｕｐ１＿１である。第１管理データｄｎｕｐ１＿１には該非接触型ＩＣチップの製造者及び製品シリーズの特定情報などが記録されている。
項目コードｃｏｄｅ２は記録領域ＲＧ１＿２に記録された非更新データのチップＩＤ（チップシリアル番号）ｄｎｕｐ１＿２である。
項目コードｃｏｄｅ３は記録領域ＲＧ１＿３に記録された非更新データのチップ製造日付ｄｎｕｐ１＿３である。
項目コードｃｏｄｅ４は記録領域ＲＧ１＿４に記録された非更新データの製造者第１情報（例えばメーカ情報）ｄｎｕｐ１＿４である。
項目コードｃｏｄｅ５は記録領域ＲＧ１＿５に記録された非更新データのチップ出荷日付ｄｎｕｐ１＿５である。
項目コードｃｏｄｅ６は記録領域ＲＧ１＿６に記録された非更新データの製造者第２情報（例えば製造ライン情報）ｄｎｕｐ１＿６である。これには製造工場名、ロットナンバなどが含まれる。
【００９１】
項目コードｃｏｄｅ７は記録領域ＲＧ１＿７に記録された非更新データの第２管理データｄｎｕｐ１＿７である。第２管理データには項目コードｃｏｄｅ（ｘ：ｘ＝１〜７）のコードとメモリ割付（エントリ・アドレスとデータ長）が記録されている。
この第２管理データを参照することによって、製造フェーズに設定された、使用フェーズにおいて内容更新（データの書換え、追加、削除）が禁じられ且つ読出し可能な非更新の項目すべてを確認でき、さらにそれらのメモリ割付によって該当する非更新データを記録データｄｒｅｃから抽出できる。
なおメモリに記録される項目が予め規定され、且つ予め定めた規定の順序で各項目のメモリ割付がなされている際には、当該規定に従い上記非更新の項目の確認ができるので、当該第２管理データのチップ内への記録が割愛されることもある。
【００９２】
つぎに、発行フェーズでは該非接触型ＩＣチップＮＣＣＰが何らかの物品ＡＲＣ１、例えば金融カードや身分証カードをはじめ腕時計や小型電子機器等に組み込まれ、または衣類や商品に電子タグとして添付され、該チップのメモリに該物品ＡＲＣ１や関連事項に係るデータが追記されることで発行が為される。
該発行フェーズで設定された、発行以降の内容更新（データの書換え、追加、削除）が禁じられ、且つ使用フェーズでの読出しが制限されたデータの項目コードは符号ｃｏｄｅ８であり、記録領域ＲＧ２＿１に読出制限データ（例えばキーデータ）ｄｎｒｄ２＿１が記録されている。
【００９３】
さらに該発行フェーズで設定された、発行以降の内容更新（データの書換え、追加、削除）が禁じられ、且つ使用フェーズでの読出しが可能な各非更新データは、項目コードが夫々、符号ｃｏｄｅ（ｘ：ｘ＝９〜１３）であり、その記録領域が夫々、符号ＲＧ２＿ｙ（ｙ＝２〜６）であり、その非更新データが夫々、符号ｄｎｕｐ２＿ｗ（ｗ＝１〜５）である。
【００９４】
項目コードｃｏｄｅ９は記録領域ＲＧ２＿２に記録された非更新データの物品ＩＤ（物品シリアル番号）ｄｎｕｐ２＿１である。
項目コードｃｏｄｅ１０は記録領域ＲＧ２＿３に記録された非更新データの物品品種コードｄｎｕｐ２＿２である。
項目コードｃｏｄｅ１１は記録領域ＲＧ２＿４に記録された非更新データの発行日付ｄｎｕｐ２＿３である。
項目コードｃｏｄｅ１２は記録領域ＲＧ２＿５に記録された非更新データの発行者情報ｄｎｕｐ２＿４である。
【００９５】
項目コードｃｏｄｅ１３は記録領域ＲＧ２＿６に記録された非更新データの第３管理データｄｎｕｐ２＿５である。第３管理データには少なくとも、発行フェーズで設定され且つ使用フェーズにおいて非更新で且つ読出し可能な全ての非更新データｄｎｕｐ２＿ｗ（ｗ＝１〜５）の項目コードｃｏｄｅ（ｙ：ｙ＝９〜１３）、夫々のメモリ割付（エントリ・アドレスとデータ長）が記録されている。
この第３管理データを参照することによって、発行フェーズで設定された、使用フェーズにおいて内容更新（データの書換え、追加、削除）が禁じられ且つ読出し可能な非更新の項目すべてを確認でき、さらにそれらのメモリ割付によって該当する非更新データを記録データｄｒｅｃから抽出できる。
なおメモリに記録される項目が予め規定され、且つ予め定めた規定の順序で各項目のメモリ割付がなされている際には、当該規定に従い上記非更新の項目の確認ができるので、当該第３管理データのチップ内への記録が割愛されることもある。
【００９６】
また、製造フェーズ或いは発行フェーズで設定された非更新データとして上記の他に、記録フォーマットを示すデータ、暗号化の種類を示すデータ、使用のモードを示すデータなども記録される。さらに、物品の品種名（例えば小型鞄）、通称名（例えばポシェット）、形状・寸法・状態などや、物品初期仕様データとして製造時の寸法形状・重量・色調等、物品価格データとして製造原価や初期定価等、さらに販売元、当初の購入日時、取引価格、当初の所有者名、所属部門などの更新されない参考情報がある。
【００９７】
さらに前記製造フェーズまたは前記発行フェーズで設定された、使用時に読出し及び内容更新（データの書換え、追加、削除）が可能なデータの項目コードは符号ｃｏｄｅ１４であり、記録領域ＲＧ３＿１に更新可能なユーザ記録データｄａｖｗ３＿１が記録されている。ユーザ記録データｄａｖｗ３＿１は後に更新されることが多いデータであり、非接触型ＩＣチップやこの非接触型ＩＣチップが添設された物品の歴代の所有者の情報（氏名、住所、性別、生年月日、職歴）、所有者移転に係る履歴を示す物品所有者データ、該物品を適用しての使用状況を示す物品使用履歴、修理や改造など履歴を示す物品保全履歴データ、この物品が例えば金融カードのとき買物などの利用履歴等がこれに該当する。
このように更新可能データはチップの使用時に内容が更新されるから内容が変化する上、大部分が個人データであるから、認証データに用いるには適切でなく、よって本発明は更新可能データｄｕｐｄを対象外とし、使用しないものとする。
【００９８】
また上記製造フェーズおよび発行フェーズにチップメモリへのデータの書込み（記録）が為され、またメモリに記録されたデータを更新（書換え、書き足し、削除）禁止または可能に設定するためのハードウエアおよびソフトウエア的手段は既に開示されている。
【００９９】
本発明は上記の、製造フェーズにおいて設定される非更新データまたは発行フェーズにおいて設定される非更新データのうち、使用フェーズにおいて読出しできるものを抽出対象とし、参加登録型コンテンツ利用に係る後述の参加登録処理や本人認証処理（照合処理）は、非接触型ＩＣチップＮＣＣＰの使用フェーズにおいて実行される。
【０１００】
つぎに端末装置ＴＭの構成を説明する。
端末装置ＴＭはコンピュータであって、ＣＰＵやバス類（不図示）、暫定メモリや作業用メモリを含むＲＡＭや小容量磁気記録媒体などの書込み可能な記憶手段ｗｍｙｔ、ＲＯＭなど読出専用の記憶手段（不図示）、インタフェースを含む通信モジュールＴＭＤＵ、入力機器ＩＰＶ、ＩＣチップ読取装置ＣＰＲＤ、呈示装置ＭＮＤＰ、電源類等を装置・機器類として具備し、さらにコンピュータプログラムであって上記ＲＯＭまたは／および記憶手段ｗｍｙｔに格納記憶され、上記ＣＰＵによって読出し実行可能な、端末処理手段ｍｔｐｒを具備する。端末処理手段ｍｔｐｒはストアード・プログラム方式で動作する。
また通信時のデータ圧縮や伸張に係る処理や、暗号化復号化に係る処理はソフトウエアが関与するが、本実施例では説明の便宜上、上記の通信モジュールＴＭＤＵに包含させている。また端末装置ＴＭの一例として車載機ＦＴＭがある。
【０１０１】
ＩＣチップ読取装置ＣＰＲＤは、近くに位置する非接触型ＩＣチップＮＣＣＰに向かい具備するアンテナから電磁波を放出し、その原理の一例として該電磁波の照射で共振した非接触型ＩＣチップＮＣＣＰ内の回路や構成部品の状態に応じて生じる反射波の状態変化、または電磁波の照射で非接触型ＩＣチップＮＣＣＰが共振した際のエネルギ吸収によって生じる、放出側の投入した電気的エネルギ消費の変化の検出に基づいて、非接触型ＩＣチップＮＣＣＰに記録されている記録データｄｒｅｃを読出すもので、その構造や構成は多くの事例報告があり、よって詳細説明は割愛される。
さらに放出電磁波の波長（通信周波数）、通信プロトコル、エラーコレクションなどで異なる規格があれば、使用する非接触型ＩＣチップＮＣＣＰに全て適応する構成のＩＣチップ読取装置ＣＰＲＤか、または使用する非接触型ＩＣチップＮＣＣＰの夫々に適応する構成のＩＣチップ読取装置ＣＰＲＤが複数基用いられる。また該ＩＣチップ読取装置ＣＰＲＤは外付けでもよい。
【０１０２】
入力機器ＩＰＶはタッチパネル、キーボード、スイッチ、マイク等の少なくとも何れか一つであり、入力操作が施されると入力データを発生させ、これを端末処理手段ｍｔｐｒへ送る処理を実行する。
【０１０３】
呈示装置ＭＮＤＰは、データの呈示のための装置であり、端末処理手段ｍｔｐｒから送られたデータを呈示する。
「呈示」とは、画面表示機による画面表示か、または／および音響報知機による音響報知か、または／および外部機器や印字機へのデータ出力かの、少なくとも何れか一つとする。よって該端末装置ＴＭは呈示装置ＭＮＤＰとして、液晶ディスプレイ装置を例とする画面表示機か、スピーカを例とする音響報知機か、プリンタを例とする印字機のうち少なくとも何れか一つを具備する。これにより物品や携行品に係るデータを示すための呈示可能データや利用者に促す通知やコンテンツ内容が、画像や音声や印字で呈示される。また可能なコンテンツサービスのリストの呈示や、推奨するコンテンツサービスの紹介を呈示できる。
本実施例では説明の便宜上、呈示装置ＭＮＤＰが画面表示機であるとして以降の説明を進めるものとする。
【０１０４】
端末処理手段ｍｔｐｒは上記ＣＰＵにより読出し実行されることにより、通信ネットワークＮＷを介してサーバ装置ＣＳＶと交信してデータ授受し、且つ上記内蔵する装置・機器類や他のコンピュータプログラムとのデータ授受を伴う演算処理やデータ処理、上記装置・機器類や他のコンピュータプログラム（不図示）の起動・停止を含む処理を実行する。端末処理手段ｍｔｐｒの動作の詳細は以降の処理の流れで説明される。
【０１０５】
サーバ装置ＣＳＶはサーバ側コンピュータであり、ＣＰＵ、バス類、暫定メモリや作業用メモリのＲＡＭや小記録容量の磁気ディスクなどの書込み可能な記憶手段ｗｍｙｓ、ＲＯＭなど読出し専用記憶手段（不図示）、インタフェースやモデムを含む通信機器ＳＭＤＵ、データの記録に係る手段である大記録容量の記録機器ＤＲＤＶ、電源などを装置・機器類として具備し、さらにコンピュータプログラムであって上記読出し専用記憶手段または／および記録機器ＤＲＤＶまたは／および記憶手段ｗｍｙｓに格納記憶され、上記ＣＰＵによって読出し実行可能なデータ処理手段ｍｓｐｒを具備する。データ処理手段ｍｓｐｒはストアード・プログラム方式で動作する。
また通信時のデータ圧縮や伸張に係る処理や、通信時の暗号化復号化に係る処理は本実施例では説明の便宜上、上記の通信機器ＳＭＤＵに包含させている。
【０１０６】
データ処理手段ｍｓｐｒは処理モジュールｍｄ＿ｐｒと検査モジュールｍｄ＿ｘｎと編成モジュールｍｄ＿ｅｄを具備して、上記ＣＰＵにより読出し実行されることで、通信ネットワークＮＷを介して端末装置ＴＭ（または車載機ＦＴＭ）と交信およびデータ授受し、且つ上記装置・機器類や不図示の他のコンピュータプログラムとのデータ授受を伴う演算処理やデータ処理を実行し、また上記装置・機器類の一部や他のコンピュータプログラムの起動・停止を含む作動制御を実行する。上記各モジュールの動作の詳細は以降の処理の流れで説明される。
【０１０７】
記録機器ＤＲＤＶは、大容量の固定または着脱可能の磁気ディスク媒体または／および大容量の光学的ディスク記録媒体または／および半導体メモリを備えて、データベースＤＢ、属性表Ｔｂａ、項目表Ｔｂｉを含む種々のデータを記録格納する。
【０１０８】
データベースＤＢは図５に示されるように、コンテンツデータおよびホーム画面データを記録したコンテンツファイルＦｃｏｎ、および、参加登録データｄｓｒｇを記録した参加登録ファイルＦｒｅｇを格納保管する。コンテンツファイルＦｃｏｎはコンテンツデータ記憶手段として機能する。また参加登録ファイルＦｒｅｇは参加登録データ記憶手段として機能する。
【０１０９】
参加登録ファイルＦｒｅｇには、各イベント毎に作成された参加登録データｄｓｒｇが記録される。図６に参加登録データｄｓｒｇの構成の一例を示す。
夫々の参加登録データｄｓｒｇには、受付番号＃ｒｅｇ、認証原簿データｄｏｒｇ、コンテンツの識別符号＃ｃｉｄ、付帯データａｔｄ、タクシＩＤ（＃ｔｉｄ）、運転者ＩＤ（＃ｄｉｄ）、料金受領日ｄｔ１、精算日ｄｔ２などが記録される。
さらに、与信カードが決済処理を含めて使用された時に該与信カードのＩＤを記録することもある。
【０１１０】
受付番号＃ｒｅｇは、この参加登録を特定するデータである。受付日時が含まれることもある。
認証原簿データｄｏｒｇは、参加登録者を識別する際に照合される原簿のデータであり、参加登録時には後述する認証データｄｃｔｆが該認証原簿データｄｏｒｇとして登録され、照合時には認証データｄｃｔｆが該認証原簿データｄｏｒｇと照合される。
コンテンツの識別符号＃ｃｉｄは、此の籤の名称・種類など、該コンテンツを特定するデータである。
【０１１１】
付帯データａｔｄは、コンテンツ参加登録時に利用者が登録する任意のデータである。付帯データａｔｄの一例として、「ロト籤」において、参加登録を要求する利用者が設定するロト数字、または数字の組合せ等がある。
【０１１２】
タクシＩＤ（＃ｔｉｄ）と運転者ＩＤ（＃ｄｉｄ）は、タクシ乗車時にコンテンツ利用がなされた際に、サーバ装置ＣＳＶを運営する事業主体企業が車載機ＦＴＭを提供したタクシ会社へ支払う協力料金を精算するためタクシと運転手を特定するデータであり、車載機ＦＴＭからサーバ装置ＣＳＶへ送られたデータに基づき作成される。
料金受領日ｄｔ１は、利用者からコンテンツ利用料金を受領した日であり、現金やチケットの受領や、与信カードによる決済日の記録である。現金やチケットによる受領の際は車載機ＦＴＭからサーバ装置ＣＳＶへ送られた通知に基づき作成され、与信カードによる決済の際は、車載機ＦＴＭからサーバ装置ＣＳＶへ送られた通知および決済処理を契約した金融機関からの決済通知に基づき作成される。
精算日ｄｔ２は、事業主体企業がタクシ会社へ端末使用料金を精算した日の記録である。
【０１１３】
またデータベースＤＢはさらに各車載機ＦＴＭの識別データを記録した車載機識別ファイルＦｔｅｍを格納保管する構成にできる。データ処理手段ｍｓｐｒは車載機からデータ受信する際に該車載機識別ファイルＦｔｅｍを参照することで、アクセス権を保持する正当な車載機であるか否かを確認することができる。
【０１１４】
また記録機器ＤＲＤＶにはさらに、非接触型ＩＣチップＮＣＣＰのメモリに記録されているデータに係る、予め規定されている「チップ属性情報」が属性表Ｔｂａとして装備されている。すなわち属性表Ｔｂａは図１に示されるように記録機器ＤＲＤＶの一部分を構成し、チップ属性情報記憶手段として機能する。
属性表Ｔｂａには、非接触型ＩＣチップに記録データとして記録されている各項目コードとその優先順位、属性値、記録位置（開始アドレス）、データ長などが、非接触型ＩＣチップの各製造者毎に、さらにシリーズ製品毎に、一覧形式などで記載されているものとする。チップ毎に項目やメモリ割付および属性値が異なる場合は、複数の属性表Ｔｂａが記録機器ＤＲＤＶに装備されることもある。使用フェーズでチップ毎に該当する属性表が検索され適用される。
【０１１５】
図１１はその一例の属性表Ｔｂａ１であり、各項目が予め定めた項目コードで記され、さらに該項目の属性値、開始アドレス、データ長（バイト）が記されている。例えば項目コードｃｏｄｅ１は属性値が「１１」すなわち使用フェーズで非更新、且つ読出し可能であり、この非更新データは開始アドレスａｄ１でデータ長がｂｙ１バイトである。
また項目コードｃｏｄｅ８は属性値が「１０」すなわち使用フェーズで読出禁止であるから、本発明では抽出の対象外となる。
同様に、項目コードｃｏｄｅ１４は属性値が「０１」であり、使用フェーズで更新可能（且つ読出し可能）で使用中に値が更新されることがあるから、これも本発明では抽出の対象外となる。すなわち、前述の非更新データは使用中に更新されることがなく内容が変化しないので認証データとして使用できるが、一方、更新可能データは使用中に内容が更新されることがあるから認証データとして不適であり、対象外である。
よって属性表Ｔｂａ１を、属性値が「１１」の項目のみで構成するようにし、これ以外の属性値の項目を割愛して構成しても差し支えない。
【０１１６】
さらに、非接触型ＩＣチップＮＣＣＰのメモリに記録されている非更新データの項目のうちで、サーバ装置ＣＳＶによって抽出がなされる、予め定められた抽出必須の項目を規定した「必須項目情報」が、サーバ装置ＣＳＶの記録機器ＤＲＤＶに項目表Ｔｂｉとして装備されている。項目表Ｔｂｉは図１に示されるように記録機器ＤＲＤＶの一部分を構成し、必須項目情報記憶手段として機能する。
コンテンツ毎に、且つ非接触型ＩＣチップの種類毎に、さらに用途等に応じて通常は複数の項目表Ｔｂｉが設定され記録機器ＤＲＤＶに装備される。使用フェーズでチップ毎に該当する項目表が検索され適用される。
【０１１７】
図１２はその一例の項目表Ｔｂｉ１である。以前に記録され且つ記録後の内容を非更新に設定されている２個またはそれ以上の個数の抽出必須の項目を規定しており、抽出必須とされる予め定めた項目の項目コードが優先順（図示では上から下へ）に記されている。この順序にしたがい該当データが抽出される。また各項目コードに対応するマスクパターン値はすべて、必須項目である「１」が規定されている。
【０１１８】
つぎに図３に示される、本発明に係る情報処理システムＳｙｓｃの一具体例として、サーバ装置とタクシに塔載されている車載機と車載通信網を具備した構成を説明する。これはコンテンツ提供サイトを運営処理するサーバ装置と、複数のタクシに塔載されて該サーバ装置に車載通信網を介して夫々接続され、且つＩＣチップ読取装置を具備した複数の車載機とを擁する、タクシ乗客が利用可能な情報処理システムである。
同図に示されるように、サーバ装置ＣＳＶは参加登録型コンテンツを、タクシ塔載の車載機ＦＴＭを介してタクシ乗客へ提供する。一方、各タクシに塔載された車載機ＦＴＭは車載通信網ＭＮＷを経由してサーバ装置ＣＳＶと通信することにより、所望のコンテンツの提供を受けることができる。車載通信網ＭＮＷは図１に示した通信ネットワークＮＷの具体例である。また車載機ＦＴＭとそのＩＣチップ読取装置ＣＰＲＤの一例の外観を図４に示す。
【０１１９】
タクシ乗客はコンテンツの利用に係る参加登録を所望する際に、登録する物品ＡＲＣ１（非接触型ＩＣチップＮＣＣＰ付き）を車載機ＦＴＭのＩＣチップ読取装置ＣＰＲＤに「かざし」、且つ入力機器ＩＰＶから指定入力を打ち込んで、サーバ装置ＣＳＶと車載機ＦＴＭに参加登録処理を実行させる。この参加登録処理によって該非接触型ＩＣチップＮＣＣＰ付きの物品ＡＲＣ１がタクシ乗車中に登録証ＲＧＴ１に仕立てられる。
このようにタクシ乗客だけがコンテンツサービスの利用者となることができ、所望の物品ＡＲＣ１を登録証ＲＧＴ１に仕立てることができる。
【０１２０】
一方、参加登録後にコンテンツデータを利用する際には何れかの車載機ＦＴＭを利用しなければならないから、後日に何れかのタクシに乗車した乗客だけが登録証ＲＧＴ１である物品ＡＲＣ１をＩＣチップ読取装置ＣＰＲＤに「かざし」、且つ入力機器ＩＰＶから指定入力を打ち込んで、コンテンツデータの利用要求をサーバ装置ＣＳＶへ送信できる。
サーバ装置ＣＳＶはこのコンテンツ利用要求を受けると、コンテンツに係る情報を格納したデータベースＤＢから要求に適うコンテンツを検索して該当するコンテンツデータを車載通信網ＭＮＷ経由で各タクシに搭載されている車載機ＦＴＭへ送出し、車載機ＦＴＭはこのコンテンツデータを画面に表示しまた音声出力する等で乗客へ提供する。またはデータ出力や印字出力して提供する。これにより乗客は所望のコンテンツデータを楽しむことができる。
【０１２１】
タクシ乗客がタクシ乗車中に参加登録に関するデータを投入して籤やクイズの参加登録をした際、サーバ装置ＣＳＶがこの参加登録データを保管し、後日にコンテンツ提供サイトが籤やクイズの当選者を決定する。その後に利用者が自分の当落結果を知るため、次ぎにタクシ乗客となった際に車載機ＦＴＭからコンテンツ提供サイトをアクセスして登録証ＲＧＴ１を「かざす」と、該サイトから当落結果が通知されて車載機ＦＴＭの画面に呈示されるから、この乗客はタクシ乗車中に当落確認ができる。
このように、例えばタクシ乗客だけがロト籤などの当落結果を知ることができ、さらに当選であれば該タクシ車内で金券やタクシ券などの景品を受け取ることもできる。タクシ乗客の乗車から降車までの車内滞留時間が平均的に１０分から２０分程度と短時間である場合、該滞留時間内に適合する参加登録型コンテンツが好適とされている。
【０１２２】
ここでサーバ装置ＣＳＶは車載通信網ＭＮＷで適用されるサーバ側通信アドレスを所有し、且つ当該通信アドレスを公開していて、任意の車載機ＦＴＭはこのサーバ側通信アドレスを用い、車載通信網ＭＮＷを経由して所望のサーバ装置ＣＳＶにアクセスしてコネクションを設定することができる。一方、各車載機ＦＴＭも車載通信網ＭＮＷで適用されるユニークな車載機通信アドレスを持ち、且つ当該車載機通信アドレスをサーバ装置ＣＳＶへ通知することによって当該サーバ装置ＣＳＶは当該車載機ＦＴＭと通信することができる。車載機通信アドレスは、各サーバ装置ＣＳＶへ予め通知して前記の車載機識別ファイルＦｔｅｍへ識別データとともに登録しておくか、または車載通信網ＭＮＷを経由したコネクションの設定時に当該サーバ装置ＣＳＶへ通知するようにする。
【０１２３】
つぎに情報処理システムＳｙｓｃの動作を説明する。ここで端末装置ＴＭを、タクシ車輛に塔載の端末装置である車載機ＦＴＭとする。
情報処理システムＳｙｓｃは情報処理方法として以下の動作を実行する。
タクシに乗車中の乗客である利用者から、
（ａ１）コンテンツ利用の参加登録要求、
が車載機ＦＴＭに入力されると、車載機ＦＴＭ及びサーバ装置ＣＳＶが参加登録処理を実行する。
ついで上記参加登録後の任意の時期に、タクシに乗車中の利用者から、何れも本人認証である照合が必要な、
（ａ２）参加登録内容の確認要求、
（ａ３）参加登録のキャンセルや内容変更の要求、
（ａ４）くじや抽選やクイズに当選しているかの問合せ、
（ａ５）当選時の景品（賞金や賞品）引換えの要求、
の何れかが車載機ＦＴＭに入力されると、車載機ＦＴＭが該要求をサーバ装置ＣＳＶへ送信し、サーバ装置ＣＳＶがこの要求内容と参加登録内容との照合処理を実行する。
上記（ａ２）乃至（ａ３）の要求は（ａ１）と同じタクシ乗車時期に乗客の乗車中に発生して実行されるか、または（ａ１）より後のタクシ乗車時期（例えば別のタクシ）に乗客の乗車中に発生して実行される。
一方、上記（ａ４）乃至（ａ５）の要求は（ａ１）より後のタクシ乗車時期（例えば別のタクシ）に乗客の乗車中に発生して実行される。
【０１２４】
車載機ＦＴＭの動作を、図７および図８のフローチャートを参照して説明する。
車載機ＦＴＭが、具備する呈示装置ＭＮＤＰである液晶ディスプレイ装置に、コンテンツ提供サイトを運用するサーバ装置ＣＳＶが提供するコンテンツサービス全体の紹介をするホーム画面を表示する場合には、端末処理手段ｍｔｐｒがホーム画面データの送出を依頼するリクエストを通信機器ＴＭＤＵおよび通信ネットワークＮＷを経由してサーバ装置ＣＳＶへ送信する。このリクエストには当該車載機ＦＴＭの車載機識別データと通信アドレスが添付されている。車載機識別データは当該車載機ＦＴＭを特定させる符号であり、また通信アドレスによって返信先をサーバ装置ＣＳＶへ通知できる。
ついでステップＳＦ１で、サーバ装置ＣＳＶから通信ネットワークＮＷおよび通信機器ＴＭＤＵ経由で送信された、図９（ａ）に示すホーム画面を、端末処理手段ｍｔｐｒが呈示装置ＭＮＤＰに常時呈示する。
【０１２５】
このホーム画面にはサーバ装置ＣＳＶからサービスされる参加登録型の複数のコンテンツやイベントの各サムネイルが一覧表示されており、利用者であるタクシ乗客は車載機ＦＴＭが装備する入力機器ＩＰＶを操作して所望するサービスのサムネイルをクリックするか、タッチパネルを触れるか、キーインして選択できる。入力機器ＩＰＶとしてボタンやキー操作のほか、画面上の該当部分を触れて入力するタッチパネルも可能である。
コンテンツサービス指定に係る該入力は利用者によるコンテンツの指示であるが、端末処理手段ｍｔｐｒはこれをコンテンツサービスの識別番号＃ｃｉｄとして一旦作業用メモリに記憶する。
【０１２６】
ステップＳＦ２で、端末処理手段ｍｔｐｒは利用者によって入力機器ＩＰＶからコンテンツサービス指定の入力があったか否かを確認し、なければ該入力の発生を待機する。指定の入力が発生すると、ステップＳＦ３で端末処理手段ｍｔｐｒが、参加登録（登録モード）か又はコンテンツ利用（照合モード）かを利用者に指定入力させる、図９（ｂ）に示す画面を呈示装置ＭＮＤＰに呈示する。ついで端末処理手段ｍｔｐｒはステップＳＦ４で、入力機器ＩＰＶから指定入力があったか否かを確認し、なければ指定入力の発生を待機する。所定の時間内に指定入力の発生がなければステップＳＦ１へ戻る。
【０１２７】
指定入力が発生すると、端末処理手段ｍｔｐｒはステップＳＦ５で、前記入力され作業用メモリに記憶したコンテンツサービスの識別番号＃ｃｉｄと、指定入力に載せられた参加登録（登録モード）かコンテンツ利用（照合モード）かの指定＃ｒｏｕとを、記憶手段ｗｍｙｔへ記憶する。また記憶手段ｗｍｙｔはこの場合暫定メモリであってもよい。
ついで端末処理手段ｍｔｐｒはステップＳＦ６において、参加登録であればステップＳＦ７へ分岐し、コンテンツ利用であればステップＳＦ８へ分岐する。
【０１２８】
ステップＳＦ７で端末処理手段ｍｔｐｒは、登録するチップ付き物品をＩＣチップ読取装置ＣＰＲＤにかざすよう利用者に指示する、図９（ｃ）に示す画面を呈示装置ＭＮＤＰに呈示して、ステップＳＦ９へ進む。一方ステップＳＦ８では端末処理手段ｍｔｐｒが利用者に、登録済みのチップ付き物品ＡＲＣ１（すなわち登録証ＲＧＴ１）をＩＣチップ読取装置ＣＰＲＤにかざすよう指示する、図９（ｄ）に示す画面を呈示装置ＭＮＤＰに呈示して、ステップＳＦ９へ進む。
【０１２９】
ステップＳＦ９で、端末処理手段ｍｔｐｒはＩＣチップ読取装置ＣＰＲＤを作動し、ステップＳＦ１０でＩＣチップ読取装置ＣＰＲＤが非接触型ＩＣチップＮＣＣＰのメモリから記録データｄｒｅｃを読出すのを待機し、記録データｄｒｅｃが読出されると、ステップＳＦ１１で端末処理手段ｍｔｐｒが記憶手段ｗｍｙｔから取出した指定入力(コンテンツサービスの識別番号＃ｃｉｄ、登録モードか照合モードかの指定＃ｒｏｕ)と、上記記録データｄｒｅｃとを、要求データｄｒｑｍとして通信機器ＴＭＤＵおよび通信ネットワークＮＷ経由でサーバ装置ＣＳＶへ送信する。ついで図８のステップＳＦ１２へ進む。
【０１３０】
また上記で、ＩＣチップ読取装置ＣＰＲＤが読出した記録データｄｒｅｃを一旦、記憶手段ｗｍｙｔへ記憶するようにし、該記憶手段ｗｍｙｔから上記指定入力と記録データｄｒｅｃとを取出して送信するようにしてもよい。
また図９（ｂ）、図９（ｃ）、図９（ｄ）の画面データはテンプレートが予め記憶手段ｗｍｙｔに記憶されているか、呈示装置ＭＮＤＰの内蔵メモリに格納されているものである。またはサーバ装置ＣＳＶからその都度受取るようにしてもよい。
【０１３１】
ステップＳＦ１２で、端末処理手段ｍｔｐｒはサーバ装置ＣＳＶからの返信を待機する。サーバ装置ＣＳＶから通信ネットワークＮＷおよび通信機器ＴＭＤＵ経由で、フラグデータと画面データから成る返信を受理すると、端末処理手段ｍｔｐｒはステップＳＦ１３で該画面データを呈示装置ＭＮＤＰに呈示する。該フラグデータは、参加登録への返信であれば参加登録成立の通知または不成立の通知であり、またはコンテンツ利用への返信であれば本人認証の成立の通知か不成立の通知である。画面データは、参加登録成立では図１０（ａ）、参加登録不成立では図１０（ｃ）、また本人認証の成立であれば図１０（ｂ）、本人認証の不成立であれば図１０（ｃ）が夫々送信されて届く。
または画面データ（図１０（ａ）、図１０（ｂ）、図１０（ｃ））は車載機ＦＴＭがテンプレートを保持し、サーバ装置ＣＳＶからフラグデータのみを受信して、端末処理手段ｍｔｐｒが各画面データを編成するようにしてもよい。
【０１３２】
端末処理手段ｍｔｐｒはステップＳＦ１４と１５でフラグデータを参照して成立か不成立かを確認し、成立であればステップＳＦ１６へ分岐し、不成立であれば該処理を終了する。
【０１３３】
ステップＳＦ１６で、端末処理手段ｍｔｐｒはフラグデータを参照して今回のセッションが参加登録かコンテンツ利用かを確認し、参加登録であればステップＳＦ１７へ分岐し、コンテンツ利用であればステップＳＦ１８へ分岐する。また上記確認は記憶手段ｗｍｙｔに記憶されている指定＃ｒｏｕを参照して実行してもよい。
【０１３４】
ステップＳＦ１７においては既に参加登録処理は成立して完了しているから、ここでは引続きコンテンツ利用に移るか否かの確認がなされる。不図示であるが、利用者へ入力を指示する画面呈示や音声ガイドがなされ、利用者からの指示入力にしたがいステップＳＦ１８へ移行するか、または該処理を終了する。ステップＳＦ１８においては既に本人認証は成立しているから、これ以降はコンテンツデータ利用に係る一連の処理が実行される。
【０１３５】
ステップＳＦ１８で実行される処理の一例に、付帯データの入力処理がある。
利用者は例えばタクシ・ロト籤の利用時に、車載機ＦＴＭの入力機器ＩＰＶを操作して前述したようにロト籤への参加登録要求の入力と、非接触型ＩＣチップ付き物品ＡＲＣ１をＩＣチップ読取装置ＣＰＲＤに「かざし」ての記録データｄｒｅｃの入力の後、前述した参加登録完了の画面が呈示されると、ついで入力機器ＩＰＶを操作してロト数字などを付帯データａｔｄとして打ち込み入力する。端末処理手段ｍｔｐｒは入力された付帯データａｔｄを通信ネットワークＮＷ経由でサーバ装置ＣＳＶへ送信する。
【０１３６】
タクシ・ロト籤は運用管理者であるサーバ装置ＣＳＶによって、参加登録の締切り後に該ロト数字（付帯データａｔｄ）に基づき選抜がなされ、ロト籤の当落が決まる。既に参加登録した利用者は、当落決定後の任意の時期に、乗車したタクシからコンテンツ利用をリクエストして、当たりの結果の送信を受けることができる。
【０１３７】
つぎにサーバ装置ＣＳＶの動作を図１３および図１４のフローチャートで説明する。
サーバ装置ＣＳＶのデータ処理手段ｍｓｐｒの処理モジュールｍｄ＿ｐｒはステップＳ１＿１で、ホーム画面データの送出を依頼するリクエストを車載機ＦＴＭから受理すると当該車載機ＦＴＭの車載機識別データと通信アドレスを書込み可能な記憶手段ｗｍｙｓに暫定記憶し、ついでデータベースＤＢの車載機識別ファイルＦｔｅｍに登録されている車載機識別データを検索し、記憶手段ｗｍｙｓに暫定記憶した車載機識別データと合致するものがあれば、当該車載機ＦＴＭを登録されている正当なものと認めて、データベースＤＢのコンテンツファイルＦｃｏｎからコンテンツサービスのホーム画面データを取出し、通信機器ＳＭＤＵおよび通信ネットワークＮＷを経由して上記通信アドレスの車載機ＦＴＭにパケット送信する。
【０１３８】
また車載機識別ファイルＦｔｅｍに、登録されている車載機識別データと対応させて該車載機ＦＴＭの通信アドレスが登録されている場合は、上記通信アドレス添付を省略できるが、一般的に通信アドレスは変更されることが多いゆえ車載機ＦＴＭ側は送信時に常に最新の通信アドレスを添付しておくことが好ましい。
【０１３９】
ついでステップＳ１＿２で車載機ＦＴＭからコンテンツサービスの識別番号＃ｃｉｄと、参加登録（登録モード）かコンテンツ利用（照合モード）の何れかの指定＃ｒｏｕと、非接触型ＩＣチップＮＣＣＰのメモリから読出された記録データｄｒｅｃとを載せた要求データｄｒｑｍが送信されるのを待機する。このように既存の、何等かの記録データが記録されている非接触型ＩＣチップから読出した記録データｄｒｅｃを流用できるから、新規に登録証を準備する必要がなく、よって低コストである。
【０１４０】
通信ネットワークＮＷおよび通信機器ＳＭＤＵ経由で要求データｄｒｑｍを受信すると、ステップＳ１＿３で処理モジュールｍｄ＿ｐｒはこれを記憶手段ｗｍｙｓへ記憶する。ついで処理モジュールｍｄ＿ｐｒは検査モジュールｍｄ＿ｘｎへコントロールを渡し、ルーチンＳＲへ移行する。
【０１４１】
認証データ設定処理のルーチンＳＲには一例として「項目表Ｔｂｉの第１の優先順位の必須項目の非更新データが空データでない（即ち有意データである）場合は当該データを、また空データ（リテラルであるＮＵＬＬコードである等）であれば所定数の０列として連結体に設定し、ついで第２の優先順位の必須項目の非更新データが空データでない（即ち有意データである）場合は当該データのＭＳＢを連結体のＬＳＢに連結して更新し、上記を項目表Ｔｂｉに規定された全ての必須項目の非更新データにつき実行する」等々の、予め作成された論理演算式が組み込まれているものとする。また本実施例ではルーチンＳＲとして、ルーチンＳＲ１が適用される。
【０１４２】
ルーチンＳＲ１は図１４に示すように、ステップＳＲ１＿１で検査モジュールｍｄ＿ｘｎが、記憶手段ｗｍｙｓから記録データｄｒｅｃを取出し、その予め定められた一部分か、または記録データｄｒｅｃのデータ構成に基づきチップの種類を特定して確認する。
【０１４３】
検査モジュールｍｄ＿ｘｎはついで記憶手段ｗｍｙｓから取出したコンテンツサービスの識別番号＃ｃｉｄ（即ち指定されたコンテンツの種類）と、上記確認したチップ種類に基づき記録機器ＤＲＤＶに記録されている複数の項目表Ｔｂｉ（図１参照）のうちで該当するチップに係る必須項目情報が記載された項目表Ｔｂｉを検索する。
適合する項目表Ｔｂｉ１（図１２参照）を見つけると、該項目表Ｔｂｉ１から２個またはそれ以上の個数の予め定められた必須項目の項目コードを特定して順に取出す。必須の項目コードは優先順位にしたがい既配列であり、この例では図示されるように項目コードｃｏｄｅ１、ｃｏｄｅ３、ｃｏｄｅ４、ｃｏｄｅ５、ｃｏｄｅ７、ｃｏｄｅ１０、ｃｏｄｅ１１、ｃｏｄｅ１３の順に取出される。
【０１４４】
ついでステップＳＲ１＿２で検査モジュールｍｄ＿ｘｎは記録機器ＤＲＤＶに記録されている複数の属性表Ｔｂａ（図１参照）のうちで該当するチップに係る属性表Ｔｂａ１（図１１参照）を検索し、該属性表Ｔｂａ１を参照して上記必須の項目コードに該当する非更新データの開始アドレスとデータ長に基づき、記憶手段ｗｍｙｓに記憶された記録データｄｒｅｃから該当する非更新データを作業用メモリへ抽出する。なお作業用メモリは別個に装備されているか、または記憶手段ｗｍｙｓの一部を構成するものとする。
【０１４５】
例として、項目表Ｔｂｉ１から必須項目の項目コードｃｏｄｅ１を先ず取出し、属性表Ｔｂａ１の項目コードｃｏｄｅ１を参照して、属性値が「１１」すなわち使用フェーズで非更新且つ読出し可能であることを確認し、このデータの開始アドレスａｄ１とデータ長ｂｙ１に基づき、記憶手段ｗｍｙｓに記憶された記録データｄｒｅｃから該当する非更新データｄｎｕｐ１＿１（図２参照）を作業用メモリへ抽出し、抽出非更新データとする。
ついでステップＳＲ１＿３で検査モジュールｍｄ＿ｘｎは該抽出非更新データ（例えばｄｎｕｐ１＿１）が空データか、または有意データかを検査する。空データであるか否かは所定のＮＵＬＬ（ヌル）コードであるか否か等の、公知の手法による。
【０１４６】
ステップＳＲ１＿４で検査モジュールｍｄ＿ｘｎは検査結果が有意であるか否かを確認し、確認結果を編成モジュールｍｄ＿ｅｄへ伝える。編成モジュールｍｄ＿ｅｄは該抽出非更新データが空データでなく有意データのとき、ステップＳＲ１＿５へ進み、未だ連結体がなければ該抽出非更新データを連結体として作業用メモリへ記憶し、既に連結体があれば、これに該抽出非更新データを連結して更新された連結体として作業用メモリへ記憶する。連結は例えば既存の連結体のＬＳＢに該抽出非更新データのＭＳＢを接続する等、予め定められた連結方法による。このように非更新データを複数個抽出して組合せることで更に複雑となるから、認証データは高いユニーク性を確保できる。
ついでステップＳＲ１＿７へ進みコントロールを検査モジュールｍｄ＿ｘｎへ渡す。
【０１４７】
一方、編成モジュールｍｄ＿ｅｄは該抽出非更新データが空データのとき、ステップＳＲ１＿６へ進み、空データである該抽出非更新データを所定のビット数の「0」列で置換え、未だ連結体がなければこれを連結体として作業用メモリへ記憶し、既に連結体があれば、この「0」列を連結して更新された連結体として作業用メモリへ記憶する。
上記のように抽出非更新データが空データか有意データかを検査し、検査結果に応じて認証データの編成内容を対応させ、空データという情報も利用することでユニーク性を確保できる。また抽出非更新データが空データであるとき、前記のように所定のビット数の「0」列で置換えるほかにも、予め定めた所定の数値に置換するようにしてもよい。
この後、ステップＳＲ１＿７へ進みコントロールを検査モジュールｍｄ＿ｘｎへ渡す。また上記置換えは「0」列以外にも、予め定めた所定値やリテラルで置換えるようにしてもよい。
【０１４８】
ステップＳＲ１＿７で検査モジュールｍｄ＿ｘｎは、必須項目コードすべてにつき検査したかをチェックして、未処理の必須項目コードがあればステップＳＲ１＿２へ戻る。一方、必須項目コードすべてにつき検査を了えればコントロールを処理モジュールｍｄ＿ｐｒへ渡す。処理モジュールｍｄ＿ｐｒはついでステップＳＲ１＿８で作業用メモリ上にある連結体を認証データｄｃｔｆ１に設定する。
【０１４９】
図１５は、第１編成手順に基づき編成された認証データｄｃｔｆ１の構成を示す。第１編成手順は抽出項目の各データを検査して項目表Ｔｂｉ１の順序に従い、先の順序のデータのＬＳＢに次ぎの順序のデータのＭＳＢを連結するもので、空データの項目があれば所定ビット数の「0」列で置換のうえ連結する。
認証データｄｃｔｆ１は８個の非更新データの連結体で構成される。項目コードｃｏｄｅ５のデータのみが空データで８ビットの「0」列であり、他の７個の非更新データ（項目コードｃｏｄｅ１の非更新データｄｎｕｐ１＿１、項目コードｃｏｄｅ３の非更新データｄｎｕｐ１＿３、項目コードｃｏｄｅ４の非更新データｄｎｕｐ１＿４、項目コードｃｏｄｅ７の非更新データｄｎｕｐ１＿７、項目コードｃｏｄｅ１０の非更新データｄｎｕｐ２＿２、項目コードｃｏｄｅ１１の非更新データｄｎｕｐ２＿３、項目コードｃｏｄｅ１３の非更新データｄｎｕｐ２＿５の順）が有意データである。
【０１５０】
上記のようにして認証データｄｃｔｆ１が設定されるが、項目表Ｔｂｉ１も属性表Ｔｂａ１も予め規定されたものを使い、また認証データの編成手順も予め規定されたものを使い、常に同じ項目と編成手順を適用して処理する。さらに内容が更新により変化しない非更新データを用いるから、再現性に優れた認証データが得られる。
【０１５１】
ルーチンＳＲ１が終了すると処理モジュールｍｄ＿ｐｒはステップＳ１＿４へ復帰する。
ステップＳ１＿４において処理モジュールｍｄ＿ｐｒは認証データｄｃｔｆ１が有意であるか否かを、予め定められた与件の判定条件にしたがい判定する。該判定条件（不図示）は、例えば何らかの理由で記録データｄｒｅｃから抽出した項目の全てが空データであった時や、予め定められた所定の項目のデータが空データである時に有意でないとするもので、記録機器ＤＲＤＶなどに格納されている。判定条件によって有意でない場合は、該認証データｄｃｔｆ１は識別機能を有するものではなく、よってユニーク性を欠くため適用できない。該判定条件は与件であり、よって同一の記録データｄｒｅｃに対しては常に同一の判定条件が使用される。
【０１５２】
ステップＳ１＿４で判定結果が有意でない場合はステップＳ１＿１３へ飛び、処理モジュールｍｄ＿ｐｒは当該処理が不成立であったとする通知の画面データ（図１０（ｃ）に相当）及び当該内容のフラグデータを、通信機器ＳＭＤＵおよび通信ネットワークＮＷ経由で車載機ＦＴＭへ送信する。
【０１５３】
一方、判定結果が有意であればステップＳ１＿５へ進み、処理モジュールｍｄ＿ｐｒは記憶手段ｗｍｙｓに記憶された前記の指定＃ｒｏｕに基づき、参加登録であればステップＳ１＿６へ分岐し、コンテンツ利用であればステップＳ１＿９へ分岐する。
【０１５４】
ステップＳ１＿６で処理モジュールｍｄ＿ｐｒは、データベースＤＢの参加登録ファイルＦｒｅｇに新規に参加登録データｄｓｒｇを作成し、当該認証データｄｃｔｆ１を認証原簿データｄｏｒｇとして該参加登録データｄｓｒｇに登録する。なお本発明で認証原簿データを原簿データと略記することもある。
【０１５５】
参加登録データｄｓｒｇは各コンテンツの各登録者ごとに作成する。この登録ののち、処理モジュールｍｄ＿ｐｒはステップＳ１＿７で参加登録の完了を通知する画面データ（図１０（ａ）に相当）及び該内容を示すフラグデータを車載機ＦＴＭへ送信し、以上によって新規登録者の新規参加登録処理は完了する。新規登録者となった利用者はこうして仕立てた新しい登録証ＲＧＴ１を以後の照合処理に使うことができるから、極めて便利である。
【０１５６】
この後処理モジュールｍｄ＿ｐｒはステップＳ１＿８で、参加登録の直後に引続きコンテンツ利用をするかを利用者に確認する処理を実行し、引続きコンテンツ利用をする場合はステップＳ１＿１２へ進んでコンテンツデータ利用に係る一連の処理を実行する。一方、引続き利用しない場合はこのセッションを終了させる。
【０１５７】
一方、ステップＳ１＿９へ分岐した場合は、当該認証データｄｃｔｆ１がデータベースＤＢに登録済みの何れかの参加登録ファイルＦｒｅｇの認証原簿データｄｏｒｇと合致するか否かを検査する。合致する場合は認証データｄｃｔｆ１と認証原簿データｄｏｒｇは同じデータ構造（連結体または／およびリスト）で、且つ同じ値となる。
【０１５８】
検査の結果が合致すれば（ステップＳ１＿１０）、ステップＳ１＿１１へ進んで認証の成立通知の画面データ（図１０（ｂ）に相当）及び該内容を示すフラグデータを車載機ＦＴＭへ送信し、ついでステップＳ１＿１２でコンテンツデータ利用に係る一連の処理を実行したのち、このセッションを終了させる。一方、ステップＳ１＿１０で検査の結果が不合致であれば、ステップＳ１＿１３へ進んで処理の不成立通知の画面データ（図１０（ｃ）に相当）及び該内容を示すフラグデータを車載機ＦＴＭへ送信し、このセッションを終了させる。
【０１５９】
ステップＳ１＿１２では該コンテンツデータ利用に係る一連の処理として、所望されたコンテンツデータの取出しと車載機ＦＴＭへの送信等を含めた種々のデータ処理とデータ授受が実行されるが、とりわけ前記のタクシ・ロト籤に係る付帯データａｔｄ（ロト数字）の処理を説明する。
処理モジュールｍｄ＿ｐｒは車載機ＦＴＭから付帯データａｔｄを受信すると、参加登録ファイルＦｒｅｇの該当する参加登録データｄｓｒｇ（図６参照）に記録する。参加登録の締切り後にロト籤の当選数字が決まると、新規に当選数字テーブルが作成される。
【０１６０】
既参加登録の利用者から当落決定後の任意の時期に、乗車したタクシを経由して当たりの結果の通知のリクエストが届くと、処理モジュールｍｄ＿ｐｒは該利用者の参加登録データｄｓｒｇに記録された付帯データａｔｄ（ロト数字）と当選数字テーブルを照合し、当落を確認して結果を車載機ＦＴＭへ送信する。
当選者情報はスポンサ（コンテンツ提供会社）やコンテンツ提供サイトが後に公表し、公表された当選者情報に基づき各参加登録者が自ら当選者に該当するか否かを確認できる。
【０１６１】
ところで、認証データｄｃｔｆは情報処理システムＳｙｓｃが非接触型ＩＣチップや無線タグを認証するためのデータとして利用できる内容でなければならず、本発明はこれを満たすよう記録データｄｒｅｃやタグ・データｄｔａｇから抽出して編成する構成とされる。サーバ装置ＣＳＶのデータ処理手段ｍｓｐｒによって実行される抽出および編成の方法は、再現性（同一の条件下で処理すると同一結果が得られる特性）のあるものでなければならない。
【０１６２】
データ処理手段ｍｓｐｒによって実行される上記の抽出および編成の方法は、コンピュータ・プログラムで構成されたものであるから再現性があり、一方、記録データｄｒｅｃやタグ・データｄｔａｇから抽出する非更新データは書換えなど変更がないから、よって上記抽出および編成処理の結果は再現性がある。本発明はこの特性を利用したものである。
【０１６３】
またサーバ装置ＣＳＶの処理モジュールｍｄ＿ｐｒは、読出した記録データｄｒｅｃまたはタグ・データｄｔａｇが未圧縮の場合は其のまま上記抽出および編成処理をし、圧縮されている場合は解凍手段を用いて解凍処理ののち上記抽出および編成処理を施す。
【０１６４】
上記コンテンツ参加登録や利用時に車載機ＦＴＭがサーバ装置ＣＳＶの端末として機能するから、サーバ装置ＣＳＶは車載機ＦＴＭへ使用料金を支払うが、サーバ装置ＣＳＶはその支払控え記録を残しておく必要がある。参加登録ファイルＦｒｅｇにある参加登録データｄｓｒｇに記録された受付番号＃ｒｅｇ、タクシＩＤ（＃ｔｉｄ）、運転者ＩＤ（＃ｄｉｄ）、精算日ｄｔ２が該支払控え記録として機能する。
【０１６５】
また、当該第１の実施例の情報処理システムが実行する一連の処理は、本発明に係る情報処理方法の第１の実施例であり、同様に当該サーバ装置は本発明に係るサーバ装置の第１の実施例である。
【０１６６】
以下、本実施例のポイントを順に挙げる。
【０１６７】
上記のようにＩＣチップ読取装置ＣＰＲＤが非接触型ＩＣチップＮＣＣＰから記録データｄｒｅｃを読込むから、人力による面倒で煩雑なデータ入力操作を割愛できる。利用者はコンテンツ利用のためにサイトを何度もアクセスすることになるが、アクセス毎にユーザ認証が必要であり、其の都度、従来のような認証データを入力操作するのは煩雑であったが、本発明によれば非接触型ＩＣチップ付き物品ＡＲＣ１をＩＣチップ読取装置ＣＰＲＤに「かざす」だけでよいから、利用者による物品の取り違えが少なく、煩雑なキー打ち込みが必要なくなり使い勝手がよくなったのみならず、ミスタイプによるデータ入力ミスがなくなる。入力操作が極めて容易になる。さらに所要時間が著しく短縮される。
【０１６８】
本発明は登録証ＲＧＴ１に仕立てる、物品ＡＲＣ１に添設された非接触型ＩＣチップＮＣＣＰを利用者が任意に設定して登録手続きするから、登録証ＲＧＴ１に仕立てた非接触型ＩＣチップ付き物品ＡＲＣ１が何であるかは登録手続きした本人しか知らず、他人は何が登録証ＲＧＴ１であるかを知らない。参加登録後の当事者認証時に、存在する多くの非接触型ＩＣチップ付き物品のうちから登録証ＲＧＴ１に仕立てられたものを持参して提示しなければならないが、これは何を登録証にしたかを知る当事者すなわち本人には容易である一方、何が登録証であるかを知らない他人には至難の業であるから他人が持ち出すのは難しい。よって不正持ち出しの対象になりにくい。（従来の身分証や認証カードなどは機能が一目瞭然だから、容易に不正持ち出しの対象になっていた。）また物品は容積が嵩張るものが多いので手当たり次第に多数持ち出すのは無理であることから、盗難の対象になりにくい。このようにして有効な不正対策を具現できる。しかもコンテンツ毎に登録証ＲＧＴ１を利用者が任意に設定することにより対象が分散し、さらに不正対策の効果を確実にすることができる。
【０１６９】
ところで非接触型ＩＣチップＮＣＣＰを登録証ＲＧＴ１に仕立てると、この非接触型ＩＣチップＮＣＣＰはチップ単独ではなく物品ＡＲＣ１に添設されて物品ＡＲＣ１と一体化されているから、実質的には非接触型ＩＣチップＮＣＣＰと一体化されている物品ＡＲＣ１を登録証ＲＧＴ１とみなして取り扱うことになり、登録手続きをした本人が物品ＡＲＣ１によって非接触型ＩＣチップＮＣＣＰを区別できることで、他の非接触型ＩＣチップとの取り違えを防止できる。
【０１７０】
登録証ＲＧＴ１とする物品ＡＲＣ１は前記コンテンツと何ら関係を有しない物品で差し支えなく、また利用者が参加登録手続きをする現場にたまたま居合わせた任意の物品でよいが、登録後の任意の時期において利用者が登録証ＲＧＴ１として提示するのに容易な物品でなければならない。後の任意の時期に登録証ＲＧＴ１として提示するのが容易でない物品、例えば、たまたま現場に有った建物や乗合自動車などを、利用者が登録する物品に指定するのは、後に登録証ＲＧＴ１として提示するのが容易でないから適切とはいえない。したがって利用者が容易に携行可能な携行品を、登録する物品に指定するのが好ましい。
携行品の一例を挙げると、何れも非接触型ＩＣチップＮＣＣＰ（とりわけ無線タグＲＦＩＤ）付きの手帳、腕時計、財布、定期券、鞄、アクセサリ、ベルト、靴、書籍、文書、ＣＤ媒体、ＤＶＤ媒体、デジタルカメラ、携帯式音楽再生機、携帯式電子ゲーム機、移動体通信端末装置（セルラ電話機すなわち携帯電話機やＰＨＤ、携帯電子端末機、ＰＤＡ、タブレットＰＣ）などが好ましい。これらは登録証として持参し且つ提示するのが容易である。
【０１７１】
サーバ装置ＣＳＶも端末装置ＴＭも、認証データｄｃｔｆを一切、画面表示などで呈示することがないから、認証データｄｃｔｆの秘匿性を維持でき、データ入力の過程で認証データｄｃｔｆが漏洩または流出することがない。
よって不正者は認証データｄｃｔｆを知り得ないから、従来技術のように正当な登録者が画面に表示させた認証データを不正者が盗み見るなどして入手してクローンを作成し、「なりすまし」た不正者によりコンテンツ利用登録の内容が改ざんされ、またコンテンツ利用登録がキャンセルされるといった不正行為の発生を排除できる。さらに、なりすました不正者が景品を受取ったり、不正に受取った景品をネットオークションで転売したり、不正な別人のアカウントで転売するといった不正の発生を防止できる。かくて高い信頼性を実現できる。よって「安全」である。
【０１７２】
また既存の記録データｄｒｅｃやタグ・データｄｔａｇを車載機ＦＴＭなどに具備されたＩＣチップ読取装置ＣＰＲＤが読出し、サーバ装置ＣＳＶが認証データｄｃｔｆを其の都度編成するから、利用者は認証データｄｃｔｆを記憶しておく必要がなく、よって認証データｄｃｔｆを失念するといった不都合の発生がない。これはタクシ乗車中でも、自宅等でＰＣを使用中でも同様である。したがって運用において実質的に、利用者は認証データｄｃｔｆの内容を知らないでも本発明を利用でき、極めて便利である。
【０１７３】
なお本発明で、利用対象１件毎に（例えばコンテンツのイベント毎に）別の登録証ＲＧＴ１（または無線タグ付き物品の登録証ＲＧＴ２）を登録するようにできる。
参加登録型コンテンツの一例として上述の籤コンテンツがあるが、これは籤というイベントに登録して参加し、締切日後の抽選結果を待ち、当選すれば景品を受取って、イベントが終了する。
そこで本発明のように、一つのイベントのみ、または一つのコンテンツのみであっても通用する登録証ＲＧＴ１を導入すると、たとえ不正転写などで万一、クローンが作られ使用されても被害は最小限（１件）ですむ。一方、従来の認証カードでは複数の利用対象（複数件）に重複して適用されゆえにクローンが不正作成され使用されると被害甚大となっていたが、これを改善することができる。
【０１７４】
また本発明では上記のような、利用対象１件毎に別の登録証を登録する際、前述のように物品を「かざす」だけで出来るから極めて簡単かつ容易である。しかも迅速に処理がなされ、データのミス入力も発生しない。
【０１７５】
本発明では上記各処理を通して、登録証ＲＧＴ１に仕立てた物品ＡＲＣ１に添設の非接触型ＩＣチップＮＣＣＰからは記録されている記録データｄｒｅｃをただ単に読出し、この「読み出した記録データ」から非更新データｄｎｕｐを抽出して認証データｄｃｔｆの設定処理をするのであって、非接触型ＩＣチップＮＣＣＰ内部に記録されている記録データｄｒｅｃそのものに対して処理を施すことは一切ない。よって中味を変えてしまうことはなく、チップ内部に記録されている記録データｄｒｅｃは一切更新や変更や追記されず、元のままを維持している。
さらに記録データｄｒｅｃは上記全ての処理の過程で影響を受けることが全くなく、よって非接触型ＩＣチップＮＣＣＰが損傷を受けることがない。この結果、任意の非接触型ＩＣチップＮＣＣＰを安心して登録証ＲＧＴ１に仕立てることができ、しかも非接触型ＩＣチップＮＣＣＰは原状のままであるから原状復帰の処理が全く不要である。
【０１７６】
予め記録済みであった記録データｄｒｅｃは本来、上記コンテンツ利用に係る登録証とは無関係の機能を有するわけであるが、本発明は記録データｄｒｅｃのこの本来の機能に些かも影響を与えることなく、且つ該記録データｄｒｅｃの本来意図されている利用形態や用途とは関連のない別の用い方ができる。
よって本発明は、非接触型ＩＣチップ（無線タグ）が記録する記録データ（タグ・データ）の新しい利用形態、新用途に係る提案でもある。しかもデータ書き込みの必要が全くないから、読出し専用の非接触型ＩＣチップ（無線タグ）を適用できるという利点がある。
【０１７７】
ところで図３で前述したように、本発明はとりわけコンテンツサービスをタクシ乗客サービスとして実行する場合に好適である。よって要点を以下に示す。
コンテンツを直接または間接にタクシ業界が準備して提供し、タクシに乗車中の乗客は該コンテンツデータを車載機ＦＴＭを介してサーバ装置ＣＳＶから受信して利用できる。
このとき、タクシ乗車時にのみ該コンテンツに参加登録できる。また参加登録後に、照合処理を要する要求、例えば登録の変更、キャンセル、タクシ籤などの当選の確認や、また登録後の該コンテンツデータの利用は、車載機ＦＴＭが塔載されたタクシに乗車している乗客のみが可能となる。すなわちタクシ乗車中の時だけコンテンツ提供サイトへアクセスでき、参加登録し、また照合を経てコンテンツデータの利用ができるものとされる。
【０１７８】
上記の限定は、コンテンツ利用料金の支払い精算に関連している。上記の参加登録型コンテンツ提供において、参加登録処理および照合処理に係る利用料金（ソフトウエア利用料金）やコンテンツデータを利用したときの料金（データ利用料金）が発生する。本発明はこれら料金を纏めて、「コンテンツ利用料金」と呼称する。
参加登録型コンテンツの利用で参加登録が為された時に、利用者がコンテンツ利用料金をタクシに支払って精算する。通常はタクシ降車時に運転手にコンテンツ利用料金の支払いが為され、登録後の後日にコンテンツの抽選等で当選した利用者に賞金や賞品が進呈される。
【０１７９】
このコンテンツ利用料金はコンテンツ提供サイトを運営するサーバ装置ＣＳＶが各参加登録者であるタクシ乗客から支払いを受けるのであるが、当該料金回収をコンテンツ提供サイトがタクシ会社へ代行委託し、タクシ会社はこの代行委託を受けて、参加登録した乗客から乗車中または降車時にコンテンツ利用料金の支払いを受け、後に纏めてタクシ会社からコンテンツ提供サイトへ上納されることになる。このときタクシ会社へ協力料金が支払われる。
【０１８０】
車載機ＦＴＭの端末処理手段ｍｔｐｒは、前記図８のステップＳＦ１８で利用者がタクシ乗車時にコンテンツデータを利用した際に、タクシＩＤ（＃ｔｉｄ）と運転者ＩＤ（＃ｄｉｄ）をサーバ装置ＣＳＶへ送信するようにする。コンテンツの種類など他のデータは既に確定している。サーバ装置ＣＳＶの処理モジュールｍｄ＿ｐｒは送信された該データに基づきタクシと運転手を特定し、サーバ装置ＣＳＶを運営する事業主体企業が車載機ＦＴＭを提供したタクシ会社へ協力料金を支払い精算する。また料金受領日ｄｔ１についても端末処理手段ｍｔｐｒと処理モジュールｍｄ＿ｐｒが上記と同様に処理する。
【０１８１】
上記の乗客からの料金回収時において、一例としてサーバ装置ＣＳＶは車載機ＦＴＭの画面上に「参加登録を完了しました。コンテンツ利用料金２００円をタクシ料金に加えてお支払下さい」等のメッセージを表示させる。乗客はコンテンツ利用料金２００円を加算したタクシ料金を現金またはチケットなどで支払って下車する。ところが上記の場合、乗客の支払ったコンテンツ利用料金が代行委託されたタクシ会社を経てコンテンツ提供サイトへ正しく上納されないという不正が発生する惧れがあった。
たとえば乗客が参加登録し、コンテンツ利用料金を支払って下車したのち、何らかの不正者がこの乗客の参加登録を不正にキャンセルすることでサーバ装置ＣＳＶに登録を抹消させ、上納分を無きものとすることで、乗客の支払ったコンテンツ利用料金を不正に確保するものである。
【０１８２】
本実施例は前述したように、登録をキャンセルする際にも認証データｄｃｔｆの照合処理によって当事者（本人）認証を実行するから、キャンセル実行には参加登録時に登録した登録証ＲＧＴ１やＲＧＴ２（纏めて登録証ＲＧＴと記載）を読取り装置に「かざす」ことが必要不可欠となり、よって何を登録証ＲＧＴに仕立てたのかを知る者が、しかもその登録証ＲＧＴを現在只今、携行して無線タグ読取装置ＴＧＲＤへ「かざす」必要がある。これは登録者本人以外の者には困難であるから、よって上記のような他人による不正なキャンセルの実行を排除することができる。
【０１８３】
またコンテンツが前記のような籤や懸賞であり、参加登録がなされている利用者である乗客が当選確認の要求を車載機ＦＴＭへ手続きした場合に、サーバ装置ＣＳＶは籤や懸賞などの当選を確認すると、該当する車載機ＦＴＭへ当選の旨と、その詳細（賞金、受取り方法と期限など）を通知する。車載機ＦＴＭは「賞金３万円を、金券、プリペイドカード、タクシチケットで、この車内で受取れます」等と画面呈示すると同時にアナウンスで乗客に通報することができる。タクシドライバは乗客から賞金の受け取り希望が伝えられると、上記通報を確認してサーバ装置ＣＳＶへ賞金支払の履行手続きし、サーバ装置ＣＳＶから了解の返信が届くと、乗客の希望する金種で賞金を進呈することができる。
さらに賞金が高額でタクシ車内での支払いが困難な場合や、賞金を乗客の通帳口座やカードに振り込む等の所謂ＡＴＭ機能による処理が所望される場合は、車載機ＦＴＭによる決済処理は適切ではなく、乗客は該当の金融機関窓口や支払機、コンビニストア等で手続きすることになる。
【実施例２】
【０１８４】
本発明に係る第２の実施例の情報処理システムを説明する。また前記第１の実施例で説明した、図７および図８に示される端末装置ＴＭの動作フローチャート、図９および図１０の各画面、図１１の属性表Ｔｂａ１、図１２の項目表Ｔｂｉ１、図１３に示されるサーバ装置ＣＳＶの動作フローチャートは本実施例でも同様に適用される。
図１６は該第２の実施例の情報処理システムを構成するサーバ装置ＣＳＶが実行する主要な処理であるルーチンＳＲ２のフローチャートである。図１３に示されるルーチンＳＲに代えてルーチンＳＲ２が実行される。また図１７は該ルーチンＳＲ２を実行したサーバ装置ＣＳＶにより編成された認証データｄｃｔｆ２の構成の一例を示す。
図１６でステップＳＲ２＿１、ステップＳＲ２＿２、ステップＳＲ２＿３は前記第１実施例の夫々ステップＳＲ１＿１、ステップＳＲ１＿２、ステップＳＲ１＿３（図１４参照）と同様であり、よって前記説明を援用する。
【０１８５】
空データまたは有意データかの検査をステップＳＲ２＿３で実行ののち、ついで検査モジュールｍｄ＿ｘｎはステップＳＲ２＿４で検査結果が有意データであった場合は該結果を編成モジュールｍｄ＿ｅｄへ伝える。ついで編成モジュールｍｄ＿ｅｄはステップＳＲ２＿５で、未だ連結体がなければ該抽出非更新データを連結体として作業用メモリへ記憶し、既に連結体があれば、これに該抽出非更新データを連結して更新された連結体として作業用メモリへ記憶する。連結は例えば既存の連結体のＬＳＢに該抽出非更新データのＭＳＢを接続する等、予め定められた連結方法による。ついでステップＳＲ２＿６へ進みコントロールを検査モジュールｍｄ＿ｘｎへ渡す。
一方、検査モジュールｍｄ＿ｘｎはステップＳＲ２＿４で該抽出非更新データが空データであれば、これを捨ててステップＳＲ２＿６へ進む。
【０１８６】
ステップＳＲ２＿６で検査モジュールｍｄ＿ｘｎは、必須項目コードすべてにつき検査したかをチェックして、未処理の必須項目コードがあればステップＳＲ２＿２へ戻る。一方、必須項目コードすべてにつき検査を了えれば、ステップＳＲ２＿７へ進んでコントロールを処理モジュールｍｄ＿ｐｒへ渡す。処理モジュールｍｄ＿ｐｒはステップＳＲ２＿７で作業用メモリ上にある連結体を認証データｄｃｔｆ２に設定する。
【０１８７】
図１７は、第２編成手順に基づき編成された認証データｄｃｔｆ２の構成を示す。第２編成手順は抽出項目の各データを検査して空データであれば除外し、有意データであれば項目表Ｔｂｉ１の順序に従い、先の順序のデータのＬＳＢに次ぎの順序のデータのＭＳＢを連結する。
認証データｄｃｔｆ２は、７個の非更新データの連結体で構成される。項目コードｃｏｄｅ５のデータが空データゆえ捨てられ、他の７個の有意の非更新データ（項目コードｃｏｄｅ１の非更新データｄｎｕｐ１＿１、項目コードｃｏｄｅ３の非更新データｄｎｕｐ１＿３、項目コードｃｏｄｅ４の非更新データｄｎｕｐ１＿４、項目コードｃｏｄｅ７の非更新データｄｎｕｐ１＿７、項目コードｃｏｄｅ１０の非更新データｄｎｕｐ２＿２、項目コードｃｏｄｅ１１の非更新データｄｎｕｐ２＿３、項目コードｃｏｄｅ１３の非更新データｄｎｕｐ２＿５、）が連結されている。
【０１８８】
このように当該第２の実施例の認証データｄｃｔｆ２は有意データのみを連結した構成であるから、処理が簡素化され、参加登録処理でも又照合処理においても所要時間が短縮されることで迅速な応答が可能になる。
【０１８９】
また、当該第２の実施例の情報処理システムが実行する一連の処理は、本発明に係る情報処理方法の第２の実施例であり、同様に当該サーバ装置は本発明に係るサーバ装置の第２の実施例である。
【実施例３】
【０１９０】
本発明に係る第３の実施例の情報処理システムを説明する。また前記第１の実施例で説明した、図７および図８に示される端末装置ＴＭの動作フローチャート、図９および図１０の各画面、図１１の属性表Ｔｂａ１、図１２の項目表Ｔｂｉ１、図１３に示されるサーバ装置ＣＳＶの動作フローチャートは本実施例でも同様に適用される。
図１８は該第３の実施例の情報処理システムを構成するサーバ装置ＣＳＶが実行する主要な処理であるルーチンＳＲ３のフローチャートである。図１３に示されるルーチンＳＲに代えてルーチンＳＲ３が実行される。また図１９は該ルーチンＳＲ３を実行したサーバ装置ＣＳＶにより編成された認証データｄｃｔｆ３の構成の一例を示す。
図１８でステップＳＲ３＿１、ステップＳＲ３＿２、ステップＳＲ３＿３は前記第１実施例の夫々ステップＳＲ１＿１、ステップＳＲ１＿２、ステップＳＲ１＿３（図１４参照）と同様であり、よって前記説明を援用する。
【０１９１】
空データまたは有意データかの検査をステップＳＲ３＿３で実行ののち、ついで検査モジュールｍｄ＿ｘｎはステップＳＲ３＿４で検査結果が有意データであった場合は該結果を編成モジュールｍｄ＿ｅｄへ伝える。ついで編成モジュールｍｄ＿ｅｄはステップＳＲ３＿５で、未だ連結体がなければ該抽出非更新データを連結体として作業用メモリへ記憶し、既に連結体があれば、これに該抽出非更新データを連結して更新された連結体として作業用メモリへ記憶する。連結は例えば既存の連結体のＬＳＢに該抽出非更新データのＭＳＢを接続する等、予め定められた連結方法による。ついでステップＳＲ３＿７へ進みコントロールを検査モジュールｍｄ＿ｘｎへ渡す。
一方、検査モジュールｍｄ＿ｘｎはステップＳＲ３＿４で該抽出非更新データが空データであればステップＳＲ３＿６へ進み、空データである該項目コードを作業用メモリに設けた空データリストに記録ののち、ステップＳＲ３＿７へ進む。
【０１９２】
ステップＳＲ３＿７で検査モジュールｍｄ＿ｘｎは、必須項目コードすべてにつき検査したかをチェックして、未処理の必須項目コードがあればステップＳＲ３＿２へ戻る。一方、必須項目コードすべてにつき検査を了えれば、ステップＳＲ３＿８へ進んでコントロールを処理モジュールｍｄ＿ｐｒへ渡す。処理モジュールｍｄ＿ｐｒはステップＳＲ３＿８で作業用メモリ上にある連結体および空データリストを認証データｄｃｔｆ３に設定する。
【０１９３】
図１９は、第３編成手順に基づき編成された認証データｄｃｔｆ３の構成を示す。第３編成手順は抽出項目の各データを検査して空データであれば除外し、有意データであれば項目表Ｔｂｉ１の順序に従い、先の順序のデータのＬＳＢに次ぎの順序のデータのＭＳＢを連結して連結体にし、さらに空データであった項目のリストを編成する。
認証データｄｃｔｆ３は、７個の非更新データ（項目コードｃｏｄｅ１の非更新データｄｎｕｐ１＿１、項目コードｃｏｄｅ３の非更新データｄｎｕｐ１＿３、項目コードｃｏｄｅ４の非更新データｄｎｕｐ１＿４、項目コードｃｏｄｅ７の非更新データｄｎｕｐ１＿７、項目コードｃｏｄｅ１０の非更新データｄｎｕｐ２＿２、項目コードｃｏｄｅ１１の非更新データｄｎｕｐ２＿３、項目コードｃｏｄｅ１３の非更新データｄｎｕｐ２＿５）の連結体と、空データであった項目コードｃｏｄｅ５を記録した空データリストとで構成されている。
【０１９４】
このように当該第３の実施例の認証データｄｃｔｆ３は有意データによる連結体に加えて、空データとなった項目のリストも記録する構成であるから、空データの項目という情報も認証に利用することができ、よって認証データｄｃｔｆ３のユニーク性の確保が可能になる。
【０１９５】
また、当該第３の実施例の情報処理システムが実行する一連の処理は、本発明に係る情報処理方法の第３の実施例であり、同様に当該サーバ装置は本発明に係るサーバ装置の第３の実施例である。
【実施例４】
【０１９６】
本発明に係る第４の実施例の情報処理システムを説明する。また前記第１の実施例で説明した、図７および図８に示される端末装置ＴＭの動作フローチャート、図９および図１０の各画面、図１１の属性表Ｔｂａ１、図１２の項目表Ｔｂｉ１、図１３に示されるサーバ装置ＣＳＶの動作フローチャートは本実施例でも同様に適用される。
図２０は該第４の実施例の情報処理システムを構成するサーバ装置ＣＳＶが実行する主要な処理であるルーチンＳＲ４のフローチャートである。図１３に示されるルーチンＳＲに代えてルーチンＳＲ４が実行される。また図２１は該ルーチンＳＲ４を実行したサーバ装置ＣＳＶにより編成された認証データｄｃｔｆ４の構成の一例を示す。
図２０でステップＳＲ４＿１、ステップＳＲ４＿２、ステップＳＲ４＿３は前記第１実施例の夫々ステップＳＲ１＿１、ステップＳＲ１＿２、ステップＳＲ１＿３（図１４参照）と同様であり、よって前記説明を援用する。
【０１９７】
空データまたは有意データかの検査をステップＳＲ４＿３で実行ののち、ついで検査モジュールｍｄ＿ｘｎはステップＳＲ４＿４で検査結果が有意データであった場合は該結果を編成モジュールｍｄ＿ｅｄへ伝える。ついで編成モジュールｍｄ＿ｅｄはステップＳＲ４＿５で、有意データである該項目コード及び該抽出非更新データを作業用メモリに設けた有意データリストに記憶する。ついでステップＳＲ４＿７へ進みコントロールを検査モジュールｍｄ＿ｘｎへ渡す。
一方、検査モジュールｍｄ＿ｘｎはステップＳＲ４＿４で検査結果が空データであった場合（すなわち該抽出非更新データが空データ）は該結果を編成モジュールｍｄ＿ｅｄへ伝え、編成モジュールｍｄ＿ｅｄはステップＳＲ４＿６で空データである該項目コードを作業用メモリに設けた空データリストに記録ののち、ステップＳＲ４＿７へ進みコントロールを検査モジュールｍｄ＿ｘｎへ渡す。
【０１９８】
ステップＳＲ４＿７で検査モジュールｍｄ＿ｘｎは、必須項目コードすべてにつき検査したかをチェックして、未処理の必須項目コードがあればステップＳＲ４＿２へ戻る。一方、必須項目コードすべてにつき検査を了えれば、ステップＳＲ４＿８へ進んでコントロールを処理モジュールｍｄ＿ｐｒへ渡す。処理モジュールｍｄ＿ｐｒはステップＳＲ４＿８で作業用メモリ上にある有意データリストおよび空データリストを認証データｄｃｔｆ４に設定する。
【０１９９】
図２１は、第４編成手順に基づき編成された認証データｄｃｔｆ４の構成を示す。第４編成手順は抽出項目の各データを検査して、有意データの項目コードと該データから成る有意データリスト、および空データの項目コードを示す空データリストを編成する。
認証データｄｃｔｆ４は、７個の非更新データに係る項目コードおよび当該データ（項目コードｃｏｄｅ１と非更新データｄｎｕｐ１＿１、項目コードｃｏｄｅ３と非更新データｄｎｕｐ１＿３、項目コードｃｏｄｅ４と非更新データｄｎｕｐ１＿４、項目コードｃｏｄｅ７と非更新データｄｎｕｐ１＿７、項目コードｃｏｄｅ１０と非更新データｄｎｕｐ２＿２、項目コードｃｏｄｅ１１と非更新データｄｎｕｐ２＿３、項目コードｃｏｄｅ１３と非更新データｄｎｕｐ２＿５）を載せた有意データリストと、空データであった項目コードｃｏｄｅ５を記録した空データリストとで構成されている。
【０２００】
このように当該第４の実施例の認証データｄｃｔｆ４は有意データである項目のリストに加えて、空データとなった項目のリストも記録する構成であるから、空データの項目という情報も認証に利用することができ、よって認証データｄｃｔｆ４のユニーク性の確保が可能になる。
【０２０１】
また、当該第４の実施例の情報処理システムが実行する一連の処理は、本発明に係る情報処理方法の第４の実施例であり、同様に当該サーバ装置は本発明に係るサーバ装置の第４の実施例である。
【実施例５】
【０２０２】
本発明に係る第５の実施例の情報処理システムを説明する。また前記第１の実施例で説明した、図７および図８に示される端末装置ＴＭの動作フローチャート、図９および図１０の各画面、図１１の属性表Ｔｂａ１、図１２の項目表Ｔｂｉ１、図１３に示されるサーバ装置ＣＳＶの動作フローチャートは本実施例でも同様に適用される。
図２２は該第５の実施例の情報処理システムを構成するサーバ装置ＣＳＶが実行する主要な処理であるルーチンＳＲ５のフローチャートである。図１３に示されるルーチンＳＲに代えてルーチンＳＲ５が実行される。また図２３は該ルーチンＳＲ５を実行したサーバ装置ＣＳＶにより編成された認証データｄｃｔｆ５の構成の一例を示す。
図２２でステップＳＲ５＿１、ステップＳＲ５＿２、ステップＳＲ５＿３は前記第１実施例の夫々ステップＳＲ１＿１、ステップＳＲ１＿２、ステップＳＲ１＿３と同様であり、よって前記説明を援用する。
【０２０３】
空データまたは有意データかの検査をステップＳＲ５＿３で実行ののち、ついで検査モジュールｍｄ＿ｘｎはステップＳＲ５＿４で検査結果が有意データであった場合は該結果を編成モジュールｍｄ＿ｅｄへ伝える。ついで編成モジュールｍｄ＿ｅｄはステップＳＲ５＿５で、有意データである該項目コード及び該抽出非更新データを作業用メモリに設けた有意データリストに記憶する。ついでステップＳＲ５＿６へ進みコントロールを検査モジュールｍｄ＿ｘｎへ渡す。
一方、検査モジュールｍｄ＿ｘｎはステップＳＲ５＿４で検査結果が空データであった場合（すなわち該抽出非更新データが空データ）は該抽出非更新データを捨ててステップＳＲ５＿６へ進む。
【０２０４】
ステップＳＲ５＿６で検査モジュールｍｄ＿ｘｎは、必須項目コードすべてにつき検査したかをチェックして、未処理の必須項目コードがあればステップＳＲ５＿２へ戻る。一方、必須項目コードすべてにつき検査を了えれば、ステップＳＲ５＿７へ進んでコントロールを処理モジュールｍｄ＿ｐｒへ渡す。処理モジュールｍｄ＿ｐｒはステップＳＲ５＿７で作業用メモリ上にある有意データリストを認証データｄｃｔｆ５に設定する。
【０２０５】
図２３は、第５編成手順に基づき編成された認証データｄｃｔｆ５の構成を示す。第５編成手順は抽出項目の各データを検査して、有意データの項目コードと該データから成る有意データリストを編成する。
認証データｄｃｔｆ５は、７個の非更新データに係る項目コードおよび当該データ（項目コードｃｏｄｅ１と非更新データｄｎｕｐ１＿１、項目コードｃｏｄｅ３と非更新データｄｎｕｐ１＿３、項目コードｃｏｄｅ４と非更新データｄｎｕｐ１＿４、項目コードｃｏｄｅ７と非更新データｄｎｕｐ１＿７、項目コードｃｏｄｅ１０と非更新データｄｎｕｐ２＿２、項目コードｃｏｄｅ１１と非更新データｄｎｕｐ２＿３、項目コードｃｏｄｅ１３と非更新データｄｎｕｐ２＿５）を載せた有意データリストで構成されている。
【０２０６】
このように当該第５の実施例の認証データｄｃｔｆ５は有意データである項目のリストのみを記録する構成であるから、処理が簡素化され、参加登録処理でも又照合処理においても所要時間が短縮されることで迅速な応答が可能になる。
【０２０７】
また、当該第５の実施例の情報処理システムが実行する一連の処理は、本発明に係る情報処理方法の第５の実施例であり、同様に当該サーバ装置は本発明に係るサーバ装置の第５の実施例である。
【実施例６】
【０２０８】
本発明に係る第６の実施例の情報処理システムは、前掲の図１に示された記録機器ＤＲＤＶに装備されている項目表Ｔｂｉとして、非接触型ＩＣチップＮＣＣＰのメモリに記録されている非更新データの項目のうちでサーバ装置ＣＳＶによる抽出が禁止された予め定められた抽出禁止の項目を規定した「禁止項目情報」を載せた項目表を適用するものである。
【０２０９】
図２４は該第６の実施例に適用される、「禁止項目情報」を載せた項目表Ｔｂｉ２の構成を示す。項目表Ｔｂｉ２は禁止項目情報記憶手段として機能する。
また図２５は該第６の実施例の情報処理システムを構成するサーバ装置ＣＳＶが実行する主要な処理であるルーチンＳＲ６のフローチャートである。また前記第１の実施例で説明した、図７および図８に示される端末装置ＴＭの動作フローチャート、図９および図１０の各画面、図１１の属性表Ｔｂａ１、図１３に示されるサーバ装置ＣＳＶの動作フローチャートは本実施例でも同様に適用される。
図１３に示されるルーチンＳＲに代えてルーチンＳＲ６が実行される。
【０２１０】
項目表Ｔｂｉ２は、他の用途への流用が好ましくない項目の抽出禁止を規定しており、抽出を禁止する項目コードが記されている。図示されるように抽出禁止項目（マスクパターン値が０）の項目コードとして、ｃｏｄｅ２（チップＩＤ）、ｃｏｄｅ６（製造者第２情報）、ｃｏｄｅ９（物品ＩＤ）、ｃｏｄｅ１２（発行者情報）が他の用途への使用が好ましくないとして抽出禁止に規定されている。例えばｃｏｄｅ９（物品ＩＤ）が個人情報とリンクされているカードＩＤであるとき、この項目を認証データに抽出しない構成にすることで個人情報などの使用を禁止でき、安全が保証される。
【０２１１】
他の例として非接触型ＩＣチップを塔載した金融カードが物品ＡＲＣ１として発行された際にチップのメモリに記録された項目である利用者ＩＤ（不図示）が、他の用途、例えばコンテンツ利用に係る認証データに使用されるのが好ましくない場合に、抽出を禁止するものである。
【０２１２】
図２５のステップＳＲ６＿１で、検査モジュールｍｄ＿ｘｎが記録データｄｒｅｃの予め定められた部分を参照してチップ種類を確認する。ついでステップＳＲ６＿２で検査モジュールｍｄ＿ｘｎは記録機器ＤＲＤＶに記録されている複数の属性表Ｔｂａ（図１参照）のうちで該当するチップに係る属性表Ｔｂａ１（図１１参照）を検索し、該属性表Ｔｂａ１を参照して、使用フェーズで非更新且つ読出し可能のデータ（属性値が「11」）の項目コードを順に取出す。これに該当する項目コードは本例ではｃｏｄｅ１乃至ｃｏｄｅ７、ｃｏｄｅ９乃至ｃｏｄｅ１３である。
【０２１３】
検査モジュールｍｄ＿ｘｎは順に項目コードの一つを取出すと、ついで記録機器ＤＲＤＶに記録されている複数の項目表Ｔｂｉ（図１参照）のうちで該当するチップに係る抽出禁止項目情報が記載された項目表Ｔｂｉ２（図２４参照）を検索し、この項目コードが該項目表Ｔｂｉ２に載った抽出禁止項目の項目コードに該当するか否かを確認し、禁止項目であれば此れを捨てる。一方、禁止項目でなければ再度、属性表Ｔｂａ１を参照して該当する非更新データの開始アドレスとデータ長に基づき、記憶手段ｗｍｙｓに記憶された記録データｄｒｅｃから該当する非更新データを作業用メモリへ抽出する。なお作業用メモリは別個に装備されているか、または記憶手段ｗｍｙｓの一部を構成するものとする。
【０２１４】
例として、検査モジュールｍｄ＿ｘｎは属性表Ｔｂａ１から項目コードｃｏｄｅ１を先ず取出し、項目表Ｔｂｉ２を参照すると、これは抽出禁止項目の項目コードに該当しないから禁止項目ではない。そこで属性表Ｔｂａ１に示された該項目コードｃｏｄｅ１のデータの開始アドレスａｄ１とデータ長ｂｙ１に基づき、記憶手段ｗｍｙｓに記憶された記録データｄｒｅｃから該当する非更新データｄｎｕｐ１＿１（図２参照）を作業用メモリへ抽出する。
【０２１５】
ついでステップＳＲ６＿３で検査モジュールｍｄ＿ｘｎは該抽出非更新データ（例えばｄｎｕｐ１＿１）が空データか、または有意データかを検査する。空データであるか否かは所定のＮＵＬＬ（ヌル）コードであるか否か等の、公知の手法による。
【０２１６】
ステップＳＲ６＿４で検査モジュールｍｄ＿ｘｎは検査結果が有意であるか否かを確認し、確認結果を編成モジュールｍｄ＿ｅｄへ伝える。編成モジュールｍｄ＿ｅｄは該抽出非更新データが空データでなく有意データのとき、ステップＳＲ６＿５へ進み、未だ連結体がなければ該抽出非更新データを連結体として作業用メモリへ記憶し、既に連結体があれば、これに該抽出非更新データを連結し、更新された連結体として作業用メモリへ記憶する。連結は例えば既存の連結体のＬＳＢに該抽出非更新データのＭＳＢを接続する等、予め定められた連結方法による。ついでステップＳＲ６＿７へ進みコントロールを検査モジュールｍｄ＿ｘｎへ渡す。
【０２１７】
一方、編成モジュールｍｄ＿ｅｄは該抽出非更新データが空データのとき、ステップＳＲ６＿６へ進み、空データである該抽出非更新データを所定のビット数の「0」列で置換え、未だ連結体がなければこれを連結体として作業用メモリへ記憶し、既に連結体があれば、この「0」列を連結して更新された連結体として作業用メモリへ記憶ののち、ステップＳＲ６＿７へ進みコントロールを検査モジュールｍｄ＿ｘｎへ渡す。また上記置換えは「0」列以外にも、予め定めた所定値やリテラルで置換えるようにしてもよい。
【０２１８】
ステップＳＲ６＿７で検査モジュールｍｄ＿ｘｎは、属性表Ｔｂａ１で規定されている属性値「11」の全ての項目コードにつき検査したかをチェックして、未処理の項目コードがあればステップＳＲ６＿２へ戻る。
【０２１９】
このようにして属性値「11」の項目コードすべてにつき検査を了えた段階においては、項目表Ｔｂｉ２の抽出禁止項目コード（ｃｏｄｅ２、ｃｏｄｅ６、ｃｏｄｅ９、ｃｏｄｅ１２）に該当するデータをすべて排除した連結体が作業用メモリ上に形成される。
ここで検査モジュールｍｄ＿ｘｎはコントロールを処理モジュールｍｄ＿ｐｒへ渡す。
【０２２０】
処理モジュールｍｄ＿ｐｒはついでステップＳＲ６＿８で作業用メモリ上にある連結体を認証データｄｃｔｆ６に設定する。此の例の場合、認証データｄｃｔｆ６の構成は図１５で示した認証データｄｃｔｆ１の構成と同じになる。
【０２２１】
上記のように、本実施例は記録データのうちの或る項目のデータの流用を何等かの理由で回避したい場合に好適であり、本実施例の抽出禁止項目コードの処理によって該当するデータを排除した認証データ（例えばｄｃｔｆ６など）を作成することができる。
【０２２２】
また、当該第６の実施例の情報処理システムが実行する一連の処理は、本発明に係る情報処理方法の第６の実施例であり、同様に当該サーバ装置は本発明に係るサーバ装置の第６の実施例である。
【０２２３】
さらに上記では、ルーチンＳＲ６のステップＳＲ６＿３以降が前掲のルーチンＳＲ１のステップＳＲ１＿３以降に準拠のものであったが、これに限定されることなく、前掲のルーチンＳＲ２乃至ＳＲ５の何れかの夫々該当部分に準拠するものであってもよい。
【実施例７】
【０２２４】
本発明に係る第７の実施例の情報処理システムを説明する。図２６は情報処理システムの端末装置ＴＭが実行する該実施例の処理のフローチャートである。図２７は表示画面の例を示す。また図２８はサーバ装置ＣＳＶが実行する該実施例の主要な処理のフローチャートである。
【０２２５】
図２６のステップＳＦ２６０１で、端末処理手段ｍｔｐｒが、サーバ装置ＣＳＶから通信ネットワークＮＷおよび通信機器ＴＭＤＵ経由で前以て送信された図９（ａ）に示すホーム画面を呈示装置ＭＮＤＰに呈示する。このホーム画面はサーバ装置ＣＳＶがサービス可能なコンテンツの一覧であり、利用者が入力機器ＩＰＶから入力することで所望のコンテンツを指定することができる。入力機器ＩＰＶとしてボタンやキー操作のほか、画面上の該当部分を触れて入力するタッチパネルも可能である。
ついで端末処理手段ｍｔｐｒはステップＳＦ２６０２で、利用者によって入力機器ＩＰＶからコンテンツサービス指定の入力があったか否かを確認し、該入力の発生を待機する。指定入力が発生すると、端末処理手段ｍｔｐｒはステップＳＦ２６０３で、指定入力に載せられたコンテンツサービスの識別番号＃ｃｉｄを記憶手段ｗｍｙｔへ記憶する。また記憶手段ｗｍｙｔはこの場合、作業用メモリや暫定メモリであってもよい。
【０２２６】
ついでステップＳＦ２６０４で端末処理手段ｍｔｐｒが、登録するチップ付き物品か又は登録済みのチップ付き物品ＡＲＣ１（すなわち登録証ＲＧＴ１）をＩＣチップ読取装置ＣＰＲＤにかざすよう指示する、図２７に示す画面を呈示装置ＭＮＤＰに呈示して、ステップＳＦ２６０５へ進みＩＣチップ読取装置ＣＰＲＤを作動し、ステップＳＦ２６０６でＩＣチップ読取装置ＣＰＲＤが非接触型ＩＣチップＮＣＣＰのメモリから記録データｄｒｅｃを読出すのを待機する。記録データｄｒｅｃが読出されると、端末処理手段ｍｔｐｒはステップＳＦ２６０７で記憶手段ｗｍｙｔから取出した指定入力（コンテンツサービスの識別番号＃ｃｉｄ）と、上記記録データｄｒｅｃとを、要求データｄｒｑｍとして通信機器ＴＭＤＵおよび通信ネットワークＮＷ経由でサーバ装置ＣＳＶへ送信する。ついで前掲した図８のステップＳＦ１２へ進む。
【０２２７】
また上記で、ＩＣチップ読取装置ＣＰＲＤが読出した記録データｄｒｅｃを一旦、記憶手段ｗｍｙｔへ記憶するようにし、該記憶手段ｗｍｙｔから上記指定入力と記録データｄｒｅｃとを取出して送信するようにしてもよい。
また図２７の画面データはテンプレートが予め記憶手段ｗｍｙｔに記憶されているか、呈示装置ＭＮＤＰの内蔵メモリに格納されているものである。またはサーバ装置ＣＳＶからその都度受取るようにしてもよい。
【０２２８】
一方、サーバ装置ＣＳＶでは図２８に示されるステップＳ２８０１で処理モジュールｍｄ＿ｐｒが車載機ＦＴＭから通信ネットワークＮＷおよび通信機器ＳＭＤＵ経由で受けた依頼に応えて、データベースＤＢのコンテンツファイルＦｃｏｎからコンテンツサービスのホーム画面データを取出し、通信機器ＳＭＤＵおよび通信ネットワークＮＷ経由で車載機ＦＴＭへ送信する。ついでステップＳ２８０２で車載機ＦＴＭからコンテンツサービスの識別番号＃ｃｉｄと、非接触型ＩＣチップＮＣＣＰのメモリから読出された記録データｄｒｅｃとを載せた要求データｄｒｑｍが送信されるのを待機する。
【０２２９】
処理モジュールｍｄ＿ｐｒは通信ネットワークＮＷおよび通信機器ＳＭＤＵ経由で要求データｄｒｑｍを受信すると、ステップＳ２８０３でこれを記憶手段ｗｍｙｓへ記憶する。ついで処理モジュールｍｄ＿ｐｒは検査モジュールｍｄ＿ｘｎへコントロールを渡し、ルーチンＳＲ７へ移行する。ルーチンＳＲ７は認証データ設定処理であり、前記ルーチンＳＲ１（図１４参照）、ＳＲ２（図１６参照）、ＳＲ３（図１８参照）、ＳＲ４（図２０参照）、ＳＲ５（図２２参照）の何れかに準拠した処理が実行され、認証データｄｃｔｆ７が設定される。
【０２３０】
上記のようにして認証データｄｃｔｆ７が設定されると、処理モジュールｍｄ＿ｐｒはステップＳ２８０４において認証データｄｃｔｆ７が有意であるか否かを、予め定められた与件の判定条件にしたがい判定する。
該判定条件（不図示）は、例えば何らかの理由で記録データｄｒｅｃから抽出した項目の全てが空データであった時や、予め定められた特定の項目のデータが空データである時に有意でないとするもので、記録機器ＤＲＤＶなどに格納されている。判定条件によって有意でない場合は、該認証データｄｃｔｆ７は識別機能を有するものではなく、よってユニーク性を欠くため適用できない。
該判定条件は与件であり、よって同一の記録データｄｒｅｃに対しては常に同一の判定条件が使用される。
【０２３１】
ステップＳ２８０４で判定結果が有意でない場合はステップＳ２８１１へ飛び、処理モジュールｍｄ＿ｐｒは当該処理が不成立であったとする通知の画面データ（図１０（ｃ）に相当）及び当該内容のフラグデータを、通信機器ＳＭＤＵおよび通信ネットワークＮＷ経由で車載機ＦＴＭへ送信し、このセッションを終了させる。
【０２３２】
一方、ステップＳ２８０４で判定結果が有意であれば処理モジュールｍｄ＿ｐｒはステップＳ２８０５へ進み、当該認証データｄｃｔｆ７と合致する登録済みの認証原簿データｄｏｒｇが有るか否かを検索する。
【０２３３】
ここで登録済みの認証原簿データｄｏｒｇに合致するものがなければ、処理モジュールｍｄ＿ｐｒはこれを新規の参加登録であるとみなし、ステップＳ２８０６でデータベースＤＢの参加登録ファイルＦｒｅｇに新規に参加登録データｄｓｒｇを作成し、当該認証データｄｃｔｆ７を認証原簿データｄｏｒｇとして該参加登録データｄｓｒｇに登録する。
参加登録データｄｓｒｇは各コンテンツの各登録者ごとに作成する。この登録ののち、処理モジュールｍｄ＿ｐｒはステップＳ２８０７で参加登録の完了を通知する画面データ（図１０（ａ）に相当）及び該内容を示すフラグデータを車載機ＦＴＭへ送信し、以上によって参加登録処理は完了する。
【０２３４】
この後、処理モジュールｍｄ＿ｐｒはステップＳ２８０８で、参加登録の直後に引続きコンテンツ利用をするかを利用者に確認する処理を実行し、引続きコンテンツ利用をする場合はステップＳ２８０９へ進んでコンテンツデータ利用に係る一連の処理を実行する。一方、引続き利用しない場合はこのセッションを終了させる。
【０２３５】
一方、ステップＳ２８０５で当該認証データｄｃｔｆ７と合致する登録済み認証原簿データｄｏｒｇが有れば、処理モジュールｍｄ＿ｐｒはこれを既登録者によるコンテンツ利用であるとみなし、ステップＳ２８１０で認証の成立通知の画面データ（図１０（ｂ）に相当）及び該内容を示すフラグデータを車載機ＦＴＭへ送信し、ついでステップＳ２８０９でコンテンツデータ利用に係る一連の処理を実行したのち、このセッションを終了させる。
【０２３６】
上記のように、本実施例は利用者に参加登録かコンテンツデータの利用かを指定入力させる必要がなく、さらに図９（ｂ）に示した画面の呈示に係る処理や入力検出処理が割愛されるから、コンテンツ利用者が為す操作を簡素化できると共に、関連する処理を合理化して処理に要する時間を短縮することで使用上のレスポンス機能を改善し、さらにシステム資源の利用上の無駄を省くことができる。
【０２３７】
また、当該第７の実施例の情報処理システムが実行する一連の処理は、本発明に係る情報処理方法の第７の実施例であり、同様に当該サーバ装置は本発明に係るサーバ装置の第７の実施例である。
【実施例８】
【０２３８】
前記の各実施例は非接触型ＩＣチップＮＣＣＰの記録データｄｒｅｃが非更新データと更新可能データの混成構成であったが、一方、利用現場では読出専用でワンススルー式の半導体メモリにデータを焼き込んだ、メモリ全体が非更新の非接触型ＩＣチップも無線タグなどで多用されている。
本発明に係る第８の実施例の情報処理システムは、このような焼き込まれたデータ全てが非更新データである構成の非接触型ＩＣチップを対象とするものである。よって記録データｄｒｅｃ全てが、チップ製造フェーズで設定された非更新データか、チップ発行フェーズで設定された非更新データか、の何れかである。
【０２３９】
そして非接触型ＩＣチップのメモリに既記録の記録データが、製造フェーズや発行フェーズで既に分割されているか、または項目に分けられているかに無関係に、本発明は該記録データを使用フェーズにおいて任意に複数のデータ断片に分割する。その分割方法は属性表として、使用フェーズにおいて任意に設定され、設定後は同一の分割方法が常に適用される。これにより再現性が確保される。
【０２４０】
図２９は、このような任意の分割規準の一例を示す属性表Ｔｂａ２であり、記録データｄｒｅｃを１４個のデータ断片に分割して分割コードｆｒｇｍ１乃至ｆｒｇｍ１４を割り振り、分割コードごとに、該当するデータ断片の属性値、開始アドレス、データ長（バイト）を規定している。例えば分割コードｆｒｇｍ１は該当するデータ断片の属性値が「１１」すなわち使用フェーズで非更新、且つ読出し可能であり、この分割部分の非更新データは開始アドレスａｄ１でデータ長がｂｙ１バイトである。以下同様である。これらデータ断片は全て非更新データである。
【０２４１】
また図３０は、これらデータ断片のうちで抽出する必須のデータ断片の分割コードを規定した項目表Ｔｂｉ３である。項目表Ｔｂｉ３は用途に応じて複数の表が任意に設定できる。例えば複数の籤引があるとき、夫々の籤引の運営者が夫々独自の上記項目表を設定することができる。
項目表Ｔｂｉ３では分割コードが優先順（図示では上から下へ）に規定されている。抽出されたデータ断片がこの順序にしたがい連結等処理される。また各分割コードに対応するマスクパターン値はすべて、必須項目である「１」が規定されている。
【０２４２】
さらに前記第１の実施例で説明した、図７および図８に示される端末装置ＴＭの動作フローチャートと図９および図１０の各画面は本実施例でも同様に適用され、図１３に示されるサーバ装置ＣＳＶの動作フローチャートは本実施例ではルーチンＳＲにつき例えば前記ルーチンＳＲ１乃至ルーチンＳＲ６の何れかの処理が実行され、さらに図１４の動作フローチャートは本実施例では項目コードを上記分割コードに変えて処理が実行される。
【０２４３】
サーバ装置ＣＳＶのデータ処理手段ｍｓｐｒは、項目表Ｔｂｉ３に規定されている必須分割コードの各々につき順に、属性表Ｔｂａ２と対照してメモリ割付とデータ長を確認し、記憶手段ｗｍｙｓに記憶された記録データｄｒｅｃから該当する分割片である非更新データを抽出する。
ついで該非更新データが空データか又は有意データ（非空データ）であるかを検査し、検査結果を記憶手段ｗｍｙｓに順次記憶する。この検査を項目表Ｔｂｉ３に規定されている必須項目の全部につき実行する。
また上記で検査結果を記憶手段ｗｍｙｓに順次記憶する際に、有意データである分割コードを記憶するが、ここでさらに当該非更新データをも記憶させるようにしてもよい。
【０２４４】
また対象とする非接触型ＩＣチップが上記の読出し専用型であることの確認は、データ処理手段ｍｓｐｒが記録データｄｒｅｃの予め定められた位置に既記録されている、チップの種類を示すデータを読出し参照することで為される。例えばチップの種類を記録した標識が記録データｄｒｅｃの先頭に焼き込まれていて、これを読出し参照する。
【０２４５】
項目表Ｔｂｉ３と属性表Ｔｂａ２を用いることで記録データｄｒｅｃの所望の部分を自在に抽出できる。例えば記録データｄｒｅｃの先頭から２バイト分を抽出することや、記録データｄｒｅｃの先頭から４バイト目から始めて３バイト分を抽出すること等が自在に可能になる。また項目表Ｔｂｉ３を前記実施例と同様に禁止項目（抽出禁止のデータ断片）を規定するものとしてもよい。この場合、禁止項目に該当しないデータ断片だけが抽出の対象となる。
上記のようにして、読出し専用型の記録データの予め定められた部分または全部を認証データに設定することができる。
【０２４６】
また本発明は、非接触型ＩＣチップの製造に係る備考欄や、発行に係る備考欄に記録された備考データであっても、前記非更新データとしてその一部または全部を抽出して認証データを編成することができる。
【０２４７】
また前述した各実施例は非接触型ＩＣチップとして無線タグ付き物品を利用した構成が好ましいが、さらに無線タグに限定されず、例えば何れもが非接触方式である赤外線通信、ブルートゥース通信、無線ＬＡＮやＤＳＲＣ等の近位置通信機能付き物品を使用した構成も適用できる。この場合は該当する通信回路や交信制御用コンピュータに加え、電源などを該物品に具備させる必要があり、寸法が大きく、且つ重く、費用も増大するから適用が限定されることがある。一方、前掲の無線タグ付き構成では超小型で薄く、電磁波の照射で電力を得て作動するＲＦＩＤチップを物品に貼り付けるだけでよいから、構成を簡素化でき、且つ安価で好適である。
【０２４８】
また端末装置がタクシ搭載の車載機や店舗内のパソコン等であるとき、タクシ内や店舗で無線タグなどの非接触型ＩＣチップを利用者に販売するか、或いは利用者に無料で提供するようにしてもよい。この場合、コンテンツ提供サイトの企業やタクシ会社や店舗が、これら企業名やタクシ会社名や店舗名以外の、しかもユニーク性のある任意のデータを該非接触型ＩＣチップに非更新データとして予め記録した上でチップ発行するようにできる。さらに該非接触型ＩＣチップの裏面に接着剤を塗布することで、購入した利用者は所望する任意の携行品に添設することができ、これにより希望の非接触型ＩＣチップ付き物品が出来上がる。
さらに、この非接触型ＩＣチップが使用されるまでは電波や電磁波を遮る金属箔で覆うようにして、金属箔を除去しなければチップをアクセスできないようにし、購入した利用者がこの金属箔を除去するようにできる。これにより販売前の非接触型ＩＣチップのデータが不正に読出されることがなく、不正キャンセルを防止することができる。
【０２４９】
また前述した各実施例は端末装置に車載機を用いる構成であったが、これ以外にも例えば自宅のＰＣ（非接触型ＩＣチップ読取装置付き）を端末装置とし、インターネット上のコンテンツ提供サイトのシステムをサーバ装置として、自宅のＰＣから該サイトのＷｅｂページを閲覧中に急ぎ参加登録する必要が生じたとき、咄嗟に身近にある任意の非接触型ＩＣチップ付き物品を上記ＩＣチップ読取装置にかざし、この物品に添設された非接触型ＩＣチップを登録証に仕立てて参加登録手続きを進めることができる。
【０２５０】
また情報処理システムを、上記の例のようなクライアント／サーバ型の構成でなく、スタンド・アローン式の１基のコンピュータで構成することも可能であり、コンピュータプログラムで構成された処理手段を具備し、さらに入力機器、非接触型ＩＣチップ読取装置、呈示装置、データベース装置等を具備して、これらプログラムや機器、装置がシステム的に作動する。端末を持たず、且つデータベースとして大容量の磁気ディスク媒体を内蔵する構成となるから、不特定多数の利用者向けではなく、特殊な用途、たとえば或る事業所や工場内に設置して少数の会員のみが限定利用する場合などに適する。
【産業上の利用可能性】
【０２５１】
本発明は、通信ネットワーク利用でコンテンツ提供をサービスする産業に好適であり、とりわけコンテンツ提供サイトを運用するサーバ装置が、タクシ車輛などモバイル乗物に塔載されて移動可能な端末装置である車載機を介して、タクシ乗客に籤やクイズやアンケート等の、参加登録型のコンテンツを提供するコンテンツ・ビジネスへの利用に好適である。
また端末装置をモバイルに限定することなく、街中や店内に固設されたコンテンツ・ブースやキオスクをはじめ、自宅や事務室のパソコン等を端末装置として参加登録型のコンテンツを提供するコンテンツ・ビジネスにも適用できる。
【図面の簡単な説明】
【０２５２】
【図１】本発明に係る情報処理システムの一例のブロック構成図である。
【図２】非接触型ＩＣチップのメモリ割付例の説明図である。
【図３】車載機とサーバ装置を具備する情報処理システムの一例の説明図である。
【図４】車載機の一例の外観図である。
【図５】情報処理システムの具備するデータベースの一例の説明図である。
【図６】参加登録データの一例の説明図である。
【図７】端末装置の処理の流れの一例を示すフロー図である。
【図８】図７に続く処理の流れを示すフロー図である。
【図９】端末装置に呈示される画面例を示す図である。
【図１０】端末装置に呈示される画面例を示す図である。
【図１１】属性表の一例を示す図である。
【図１２】項目表の一例を示す図である。
【図１３】サーバ装置の処理の流れの一例を示すフロー図である。
【図１４】ルーチンＳＲ１のフロー図である。（実施例１）
【図１５】認証データの構成例を示す図である。（実施例１）
【図１６】ルーチンＳＲ２のフロー図である。（実施例２）
【図１７】認証データの構成例を示す図である。（実施例２）
【図１８】ルーチンＳＲ３のフロー図である。（実施例３）
【図１９】認証データの構成例を示す図である。（実施例３）
【図２０】ルーチンＳＲ４のフロー図である。（実施例４）
【図２１】認証データの構成例を示す図である。（実施例４）
【図２２】ルーチンＳＲ５のフロー図である。（実施例５）
【図２３】認証データの構成例を示す図である。（実施例５）
【図２４】項目表の別の例を示す図である。（実施例６）
【図２５】ルーチンＳＲ６のフロー図である。（実施例６）
【図２６】端末装置の処理の流れを示すフロー図である。（実施例７）
【図２７】端末装置に呈示される画面例を示す図である。（実施例７）
【図２８】サーバ装置の処理の流れを示すフロー図である。（実施例７）
【図２９】属性表の他の例を示す図である。（実施例８）
【図３０】項目表の他の例を示す図である。（実施例８）
【符号の説明】
【０２５３】
Ｓｙｓｃ    情報処理システム
ＣＳＶ    サーバ装置
ＮＷ    通信ネットワーク
ＴＭ    端末装置
ＦＴＭ    車載機
ＲＧＴ１    登録証
ＡＲＣ１    物品
ＮＣＣＰ    非接触型ＩＣチップ
ｄｒｅｃ    記録データ
ＲＧＴ２    登録証
ＡＲＣ２    物品
ＲＦＩＤ    無線タグ
ｄｔａｇ    タグ・データ
ＤＲＤＶ    記録機器
ＤＢ    データベース
Ｆｒｅｇ    参加登録ファイル
Ｆｃｏｎ    コンテンツファイル
Ｔｂａ    属性表
Ｔｂｉ    項目表
ｗｍｙｓ    記憶手段
ｍｓｐｒ    データ処理手段
ｍｄ＿ｐｒ    処理モジュール
ｍｄ＿ｘｎ    検査モジュール
ｍｄ＿ｅｄ    編成モジュール
ＳＭＤＵ    通信機器
ＴＭＤＵ    通信機器
ｍｔｐｒ    端末処理手段
ｗｍｙｔ    記憶手段
ＩＰＶ    入力機器
ＣＰＲＤ    ＩＣチップ読取装置
ＭＮＤＰ    呈示装置
【図１】
2006171842.tif 000003
【図２】
2006171842.tif 000004
【図３】
2006171842.tif 000005
【図４】
2006171842.tif 000006
【図５】
2006171842.tif 000007
【図６】
2006171842.tif 000008
【図７】
2006171842.tif 000009
【図８】
2006171842.tif 000010
【図９】
2006171842.tif 000011
【図１０】
2006171842.tif 000012
【図１１】
2006171842.tif 000013
【図１２】
2006171842.tif 000014
【図１３】
2006171842.tif 000015
【図１４】
2006171842.tif 000016
【図１５】
2006171842.tif 000017
【図１６】
2006171842.tif 000018
【図１７】
2006171842.tif 000019
【図１８】
2006171842.tif 000020
【図１９】
2006171842.tif 000021
【図２０】
2006171842.tif 000022
【図２１】
2006171842.tif 000023
【図２２】
2006171842.tif 000024
【図２３】
2006171842.tif 000025
【図２４】
2006171842.tif 000026
【図２５】
2006171842.tif 000027
【図２６】
2006171842.tif 000028
【図２７】
2006171842.tif 000029
【図２８】
2006171842.tif 000030
【図２９】
2006171842.tif 000031
【図３０】
2006171842.tif 000032